(57)【要約】  本発明は広帯域無線接続通信システムに関するもので、移動端末機と、サービングセル領域で前記移動端末機にサービスを提供するサービング基地局と、前記サービング基地局に隣接する少なくとも一つのターゲット基地局とを含む広帯域無線通信システムで、前記移動端末機が前記サービングセル領域にあるときに前記サービング基地局のハンドオーバー方法であって、前記サービング基地局は前記移動端末機のハンドオーバーの必要性によって前記移動端末機がハンドオーバーすることを決定する段階と、前記ハンドオーバーのためのターゲット基地局のうちのいずれか一つにハンドオーバーすることを指示する段階と、前記サービング基地局が前記指示を受けたターゲット基地局にハンドオーバーすることを移動基地局に指示する強制ハンドオーバー情報が含まれたハンドオーバーメッセージを前記移動端末機に伝送する段階とを含むことを特徴とする。
2007535205.tif 000002
【特許請求の範囲】
【請求項１】
移動端末機と、サービングセル領域で前記移動端末機にサービスを提供するサービング基地局と、前記サービング基地局に隣接する少なくとも一つのターゲット基地局とを含む広帯域無線通信システムで、前記移動端末機が前記サービングセル領域にあるときに前記サービング基地局のハンドオーバー方法であって、
前記サービング基地局は前記移動端末機のハンドオーバーの必要性によって前記移動端末機がハンドオーバーすることを決定する段階と、
前記ハンドオーバーのためのターゲット基地局のうちのいずれか一つにハンドオーバーすることを指示する段階と、
前記サービング基地局が前記指示を受けたターゲット基地局にハンドオーバーすることを移動基地局に指示する強制ハンドオーバー情報が含まれたハンドオーバーメッセージを前記移動端末機に伝送する段階と、
を含むことを特徴とするハンドオーバー方法。
【請求項２】
前記強制ハンドオーバー情報は、前記ハンドオーバーメッセージに１ビットで構成された所定のフィールドを形成して示すことを特徴とする請求項１記載のハンドオーバー方法。
【請求項３】
前記所定のフィールドは、提案ハンドオーバー情報を表示する１ビットの他の値を含み、前記提案ハンドオーバー情報を含むときに、前記ハンドオーバーメッセージは、前記移動端末機がハンドオーバー可能なターゲット基地局のリストを含み、前記移動端末機は前記リストから一つのターゲット基地局が選択可能であることを特徴とする請求項２記載のハンドオーバー方法。
【請求項４】
前記基地局は、
前記移動端末機からハンドオーバー指示メッセージを受信する段階と、
前記移動端末機とのリンクを解除する段階と、
をさらに含むことを特徴とする請求項１記載のハンドオーバー方法。
【請求項５】
前記ハンドオーバー指示メッセージは、正常にハンドオーバーすることを表示するハンドオーバー指示タイプフィールドを含むことを特徴とする請求項４記載のハンドオーバー方法。
【請求項６】
前記ターゲット基地局にハンドオーバーすることを指示する段階は、
前記ターゲット基地局にハンドオーバー通知メッセージを伝送する段階と、
前記ターゲット基地局からハンドオーバー通知応答メッセージを受信する段階と、
前記ターゲット基地局の中で、一つのターゲット基地局にハンドオーバー確認メッセージを伝送する段階と、
を含むことを特徴とする請求項１記載のハンドオーバー方法。
【請求項７】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む無線通信システムで、前記移動端末機が前記サービングセル領域にあるときに前記移動端末機がハンドオーバーを遂行する方法であって、
前記サービング基地局からハンドオーバー情報を含むメッセージを受信する段階と、
前記移動端末機が前記メッセージに含まれたハンドオーバー情報を確認し、強制ハンドオーバー指示メッセージである場合に、前記移動端末機と前記サービング基地局とのリンクを解除する段階と、
前記サービング基地局とのリンクを解除した後に、前記メッセージに含まれた一つのハンドオーバー可能ターゲット基地局にハンドオーバーを遂行する段階と、
を含むことを特徴とするハンドオーバー方法。
【請求項８】
前記強制ハンドオーバー情報は、前記ハンドオーバーメッセージに１ビットで構成された所定のフィールドを形成して示すことを特徴とする請求項７記載のハンドオーバー方法。
【請求項９】
前記ハンドオーバー情報が、提案ハンドオーバーメッセージである場合に、前記メッセージに含まれたハンドオーバー可能なターゲット基地局のリストを確認し、最適の基地局を選択してハンドオーバーを遂行する段階を含むことを特徴とする請求項７記載のハンドオーバー方法。
【請求項１０】
移動端末機と、サービングセル領域で前記移動端末機にサービスを提供するサービング基地局と、前記サービング基地局に隣接した少なくとも一つ以上のターゲット基地局とを含む広帯域無線通信システムで、前記移動端末機が前記サービングセル領域にあるときに前記移動端末機のハンドオーバー方法であって、
ハンドオーバーの必要性を検出すると、ハンドオーバー要求メッセージを前記サービング基地局に伝送する段階と、
前記ターゲット基地局のうちのいずれか一つに、ハンドオーバーの遂行時区間で、前記移動端末機がハンドオーバーの取り消しを決定すると、前記サービング基地局にハンドオーバーの取り消し情報を含むハンドオーバー指示メッセージを伝送する段階と、
を含むことを特徴とするハンドオーバー方法。
【請求項１１】
前記サービング基地局から前記ターゲット基地局のキャリア対干渉雑音比（ＣＩＮＲ）スキャニング許可メッセージを受信する段階と、
前記ＣＩＮＲスキャニング許可メッセージに応答して前記ターゲット基地局のＣＩＮＲスキャニングをし、前記ＣＩＮＲスキャニング結果に対応して前記ターゲット基地局のＣＩＮＲ情報を記憶する段階と、
を含むことを特徴とする請求項１０記載のハンドオーバー方法。
【請求項１２】
前記ハンドオーバーの取り消し情報は、前記ハンドオーバー指示メッセージに２ビットで構成された所定のハンドオーバー指示タイプフィールドを形成して示すことを特徴とする請求項１０記載のハンドオーバー方法。
【請求項１３】
前記移動端末機は、前記サービング基地局のキャリア対干渉雑音比（ＣＩＮＲ）が第１のしきい値より低い場合にハンドオーバーの遂行を決定することを特徴とする請求項１０記載のハンドオーバー方法。
【請求項１４】
前記移動端末機は、前記サービング基地局のキャリア対干渉雑音比（ＣＩＮＲ）が前記ターゲット基地局のうち選択された一つの基地局のキャリア対干渉雑音比より低い場合にハンドオーバーの遂行を決定することを特徴とする請求項１０記載のハンドオーバー方法。
【請求項１５】
前記移動端末機は、前記ハンドオーバーの遂行中に、前記サービング基地局のキャリア対干渉雑音比が第２のしきい値より低い場合にハンドオーバーを取り消すことに決定することを特徴とする請求項１０記載のハンドオーバー方法。
【請求項１６】
前記移動端末機は、前記ハンドオーバーの遂行中に、前記サービング基地局のキャリア対干渉雑音比が前記ターゲット基地局の中に選択された一つの基地局のキャリア対干渉雑音比より低い場合にハンドオーバーを取り消すことに決定することを特徴とする請求項１０記載のハンドオーバー方法。
【請求項１７】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局を含む広帯域無線通信システムで、前記サービング基地局のハンドオーバー方法であって、
前記移動端末機からハンドオーバー要求メッセージを受信すると、ターゲット基地局とハンドオーバー進行のためのハンドオーバー手順を進行する段階と、
前記ハンドオーバー手順の進行中に、前記移動端末機からハンドオーバー取り消し情報が含まれたハンドオーバーメッセージを受信すると、進行中であるハンドオーバー手順を取り消す段階と、
前記進行中であるハンドオーバー手順を取り消した後に、サービング基地局の前記移動端末機とのリンクを継続して維持する段階と、
を含むことを特徴とするハンドオーバー方法。
【請求項１８】
前記ハンドオーバー取り消しメッセージは、前記移動端末機がターゲット基地局のリストが含まれたハンドオーバー応答メッセージを受信する前にハンドオーバー手順を中止するために前記移動端末機から伝送されるメッセージであることを特徴とする請求項１７記載のハンドオーバー方法。
【請求項１９】
前記サービング基地局は、前記ターゲット基地局にハンドオーバー進行のためのハンドオーバー確認メッセージを伝送する前に、前記移動端末機からハンドオーバー取り消しメッセージを受信すると、ハンドオーバー手順を終了する段階を含むことを特徴とする請求項１７記載のハンドオーバー方法。
【請求項２０】
前記サービング基地局は、前記移動端末機からハンドオーバー取り消しメッセージを受信すると、前記ターゲット基地局にハンドオーバー進行のためのハンドオーバー確認メッセージを伝送し、以後に前記ターゲット基地局に前記ハンドオーバー取り消しメッセージを伝送する段階をさらに含むことを特徴とする 請求項１７記載のハンドオーバー方法。
【請求項２１】
前記ハンドオーバー取り消しメッセージは、２ビットで構成された所定のハンドオーバー指示タイプフィールドを含むことを特徴とする請求項２０記載のハンドオーバー方法。
【請求項２２】
移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機が前記サービングセル領域にあるとき前記移動端末機のハンドオーバー方法であって、
ハンドオーバーの必要性を検出すると、前記サービング基地局にハンドオーバー要求メッセージを伝送する段階と、
前記サービング基地局から第１のハンドオーバー応答メッセージを受信する段階と、
前記第１のハンドオーバー応答メッセージを受信した後に、前記移動端末機はハンドオーバーの拒絶を決定すると、前記サービング基地局にハンドオーバー拒絶情報を含むハンドオーバー指示メッセージを伝送する段階と、
を含むことを特徴とするハンドオーバー方法。
【請求項２３】
前記サービング基地局から前記ターゲット基地局のＣＩＮＲスキャニング許可メッセージを受信する段階と、
前記ＣＩＮＲスキャニング許可メッセージに応答して前記ターゲット基地局のＣＩＮＲスキャニングを遂行し、前記ＣＩＮＲスキャニングの結果に対応して前記ターゲット基地局のＣＩＮＲ情報を記憶する段階と、
を含むことを特徴とする請求項２２記載のハンドオーバー方法。
【請求項２４】
前記第１のハンドオーバー応答メッセージは、前記サービング基地局が前記ターゲット基地局のうち前記移動端末機にサービス可能な少なくとも一つ以上の基地局の情報を含むことを特徴とする請求項２２記載のハンドオーバー方法。
【請求項２５】
前記ハンドオーバーの拒絶情報は、前記ハンドオーバー指示メッセージに所定のハンドオーバー指示タイプフィールドを形成して示すことを特徴とする請求項２２記載のハンドオーバー方法。
【請求項２６】
前記移動端末機は、前記サービング基地局のキャリア対干渉雑音比（ＣＩＮＲ）が第１のしきい値より低い場合にハンドオーバーすることに決定することを特徴とする請求項２２記載のハンドオーバー方法。
【請求項２７】
前記移動端末機は、前記サービング基地局のキャリア対干渉雑音比（ＣＩＮＲ）が前記ターゲット基地局のうち選択された一つの基地局のキャリア対干渉雑音比より低い場合にハンドオーバーすることに決定することを特徴とする請求項２２記載のハンドオーバー方法。
【請求項２８】
前記ハンドオーバー拒絶情報を含むハンドオーバー指示メッセージを伝送した後に、前記移動端末機は前記ハンドオーバー要求メッセージを再伝送する段階を含むことを特徴とする請求項２２記載のハンドオーバー方法。
【請求項２９】
前記ハンドオーバー拒絶情報を含むハンドオーバー指示メッセージを伝送した後に、前記移動端末機は前記ターゲット基地局の前記キャリア対干渉雑音比（ＣＩＮＲ）のスキャニング結果に対応するターゲット基地局のリストを含む第２のハンドオーバー応答メッセージを前記サービング基地局から受信する段階をさらに含むことを特徴とする請求項２２記載のハンドオーバー方法。
【請求項３０】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記移動端末機が前記サービングセル領域にあるときに前記サービング基地局のハンドオーバー方法であって、
前記移動端末機からハンドオーバー要求メッセージを受信すると、ターゲット基地局とハンドオーバーのためのハンドオーバー手順を進行する段階と、
ハンドオーバー手順の進行中に、前記移動端末機からハンドオーバー拒絶情報が含まれたハンドオーバーメッセージを受信すると、進行中であるハンドオーバー手順を中止する段階と、
前記進行中であるハンドオーバー手順を中止した後に、前記サービング基地局から前記移動端末機に新たなターゲット基地局のリストを含むメッセージを伝送する段階と、
を含むことを特徴とするハンドオーバー方法。
【請求項３１】
前記サービング基地局は、前記ターゲット基地局のうち、前記移動端末機にサービス可能な少なくとも一つ以上の基地局の情報をハンドオーバー応答メッセージに含んで伝送する段階を含むことを特徴とする請求項３０記載のハンドオーバー方法。
【請求項３２】
前記ハンドオーバー拒絶メッセージは、前記移動端末機がターゲット基地局のリストが含まれたハンドオーバー応答メッセージを受信した後に、決定されたハンドオーバー手順を中止するために前記サービング基地局に伝送されるメッセージであることを特徴とする請求項３０記載のハンドオーバー方法。
【請求項３３】
前記ハンドオーバー拒絶メッセージは、２ビットで構成された所定のハンドオーバー指示タイプフィールドを形成して示すことを特徴とする請求項３０記載のハンドオーバー方法。
【請求項３４】
前記サービング基地局は、前記移動端末機から拒絶メッセージを受信すると、前記移動端末機とのリンクを維持し、前記ターゲット基地局にハンドオーバーが中止されたことを通報するメッセージを伝送する段階を含むことを特徴とする請求項３０記載のハンドオーバー方法。
【請求項３５】
移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機のハンドオーバー方法であって、
前記サービング基地局からハンドオーバー要求メッセージを受信すると、ハンドオーバー手順を進行する段階と、
前記移動端末機は、前記ターゲット基地局のうちのいずれか一つにハンドオーバーを遂行する時区間でハンドオーバー取り消しが決定されると、前記サービング基地局にハンドオーバー取り消し情報を含むハンドオーバー指示メッセージを伝送する段階と、
を含むことを特徴とするハンドオーバー方法。
【請求項３６】
前記移動端末機は、前記ハンドオーバーの遂行中に前記サービング基地局のキャリア対干渉雑音比が所定のしきい値より高い場合にハンドオーバー取り消しを決定することを特徴とする請求項３５記載のハンドオーバー方法。
【請求項３７】
前記移動端末機は、前記ハンドオーバーの遂行中に前記サービング基地局のキャリア対干渉雑音比が前記ターゲット基地局のうちの選択された一つの基地局のキャリア対干渉雑音比より高い場合にハンドオーバー取り消しを決定することを特徴とする請求項３５記載のハンドオーバー方法。
【請求項３８】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記サービング基地局のハンドオーバー方法であって、
前記移動端末機にハンドオーバー要求メッセージを送信し、ターゲット基地局とハンドオーバー進行のためのハンドオーバー手順を遂行する段階と、
ハンドオーバー手順の進行中に、前記移動端末機からハンドオーバー取り消し情報が含まれたハンドオーバーメッセージを受信すると、進行中であるハンドオーバー手順を取り消す段階と、
前記進行中であるハンドオーバー手順を取り消した後に、前記移動端末機とのリンクを継続して維持する段階と、
を含むことを特徴とするハンドオーバー方法。
【請求項３９】
前記サービング基地局は、前記ターゲット基地局にハンドオーバー進行のためのハンドオーバー確認メッセージを伝送する以前に、ハンドオーバー取り消しメッセージを受信すると、ハンドオーバー手順を終了する段階を含むことを特徴とする請求項３８記載のハンドオーバー方法。
【請求項４０】
前記サービング基地局は、前記ターゲット基地局にハンドオーバー進行のためのハンドオーバー確認メッセージを伝送した後にハンドオーバー取り消しメッセージを受信すると、前記ターゲット基地局にハンドオーバー取り消しメッセージを伝送する段階をさらに含むことを特徴とする請求項３８記載のハンドオーバー方法。
【請求項４１】
移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機が前記サービングセル領域にあるときに前記移動端末機のハンドオーバー方法であって、
前記サービング基地局から前記ターゲット基地局のリストを含むハンドオーバー要求メッセージを受信する段階と、
前記移動端末機は、前記ターゲット基地局のリストを確認し、以後前記ハンドオーバーの拒絶を決定すると、前記サービング基地局にハンドオーバー拒絶情報を含むハンドオーバー指示メッセージを伝送する段階と、
を含むことを特徴とするハンドオーバー方法。
【請求項４２】
前記サービング基地局から前記ターゲット基地局のキャリア対干渉雑音比（ＣＩＮＲ）のスキャニング許可メッセージを受信する段階と、
前記ＣＩＮＲスキャニング許可メッセージに応答して前記ターゲット基地局のＣＩＮＲスキャニングを遂行し、前記ＣＩＮＲスキャニング結果に対応して前記ターゲット基地局のＣＩＮＲ情報を記憶する段階と、
を含むことを特徴とする請求項４１記載のハンドオーバー方法。
【請求項４３】
前記ハンドオーバー要求メッセージは、前記ターゲット基地局の中で前記移動端末機にサービス提供可能なターゲット基地局のリストに関する情報を含むことを特徴とする請求項４１記載のハンドオーバー方法。
【請求項４４】
前記ハンドオーバー拒絶情報を含む前記ハンドオーバー指示メッセージを伝送し、以後前記サービング基地局に前記ハンドオーバー要求メッセージを伝送する段階と、
前記ハンドオーバー要求メッセージの伝送後に、前記サービング基地局から前記ターゲット基地局のキャリア対干渉雑音比のスキャニング結果値に対応するターゲット基地局のアップデートされたリスト情報を含むハンドオーバー応答メッセージを受信する段階と、
を含むことを特徴とする請求項４１記載のハンドオーバー方法。
【請求項４５】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記移動端末機が前記サービングセル領域にあるときに前記サービング基地局のハンドオーバー方法であって、
前記移動端末機に前記ターゲット基地局のリストを含むハンドオーバー要求メッセージを送信し、前記ターゲット基地局とハンドオーバー進行のためのハンドオーバー手順を遂行する段階と、
前記移動端末機からハンドオーバー拒絶情報が含まれたハンドオーバーメッセージを受信すると、前記進行中であるハンドオーバー手順を中止する段階と、
前記移動端末機に前記ターゲット基地局の新たなリストを含むメッセージを伝送する段階と、
を含むことを特徴とするハンドオーバー方法。
【請求項４６】
前記サービング基地局は、前記移動端末機からハンドオーバー拒絶メッセージを受信すると、前記移動端末機とのリンクを維持し、前記ハンドオーバー遂行のためのターゲット基地局にハンドオーバーが中止されることを通報するメッセージを伝送する段階をさらに含むことを特徴とする請求項４５記載のハンドオーバー方法。
【発明の詳細な説明】
【技術分野】
【０００１】
本発明は広帯域無線通信システムに関するもので、特に、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、‘ＯＦＤＭ’とする）/直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：以下、‘ＯＦＤＭＡ’とする）方式を用いる広帯域移動通信システムにおけるハンドオーバー遂行方法に関するものである。
【背景技術】
【０００２】
次世代通信システムである４世代（４ｔｈ  Ｇｅｎｅｒａｔｉｏｎ：４Ｇ）通信システムで、約１００Ｍｂｐｓの伝送速度を有する多様なサービス品質（ＱｏＳ）を有するサービスをユーザーに提供するための活発な研究が進んできている。現在、３世代（３Ｇ）通信システムは、一般的に比較的劣悪なチャンネル環境を有する屋外チャンネル環境では約３８４ｋｂｐｓの伝送速度を支援し、比較的良好なチャンネル環境を有する室内チャンネル環境でも最大２Ｍｂｐｓ程度の伝送速度を支援する。
【０００３】
一方、無線近距離通信ネットワーク（Ｌｏｃａｌ  Ａｒｅａ  Ｎｅｔｗｏｒｋ：以下、‘ＬＡＮ’とする）システム及び都市規模ネットワーク（Ｍｅｔｒｏｐｏｌｉｔａｎ  Ａｒｅａ  Ｎｅｔｗｏｒｋ：以下、‘ＭＡＮ’とする）システムは一般的に２０Ｍｂｐｓ〜５０Ｍｂｐｓの伝送速度を支援する。現在４Ｇ通信システムでは、比較的高い伝送速度を保障する無線ＬＡＮシステム及び無線ＭＡＮシステムに移動性（ｍｏｂｉｌｉｔｙ）とＱｏＳを保障する形態で新たな通信システムを開発し、４Ｇ通信システムで提供しようとする高速サービスを支援するための研究が活発に進行されている。
【０００４】
無線ＭＡＮシステムはそのサービス領域（ｃｏｖｅｒａｇｅ）が広く、高速の伝送速度を支援するため、高速通信サービスを支援するのに適合する。しかしながら、無線ＭＡＮシステムは、ユーザー、すなわち加入者端末機（Ｓｕｂｓｃｒｉｂｅｒ  Ｓｔａｔｉｏｎ：ＳＳ）の移動性を全く考慮しないシステムであるため、加入者端末機の高速移動によるハンドオーバー（ｈａｎｄｏｖｅｒ）も全く考慮されていない。ここで、無線ＭＡＮシステムは広帯域無線接続（Ｂｒｏａｄｂａｎｄ  Ｗｉｒｅｌｅｓｓ  Ａｃｃｅｓｓ：ＢＷＡ）通信システムとして、無線ＬＡＮシステムに比べてそのサービス領域が広く、より高速の伝送速度を支援する。
【０００５】
一方、無線ＭＡＮシステムの物理チャンネル（ｐｈｙｓｉｃａｌ  ｃｈａｎｎｅｌ）に広帯域伝送ネットワークを支援するためにＯＦＤＭ方式及びＯＦＤＭＡ方式を適用したシステムが、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ａ通信システムである。前記ＩＥＥＥ８０２．１６ａ通信システムはＯＦＤＭ/ＯＦＤＭＡ方式を使用する広帯域無線接続通信システムである。このＩＥＥＥ８０２．１６ａ通信システムは前記無線ＭＡＮシステムにＯＦＤＭ/ＯＦＤＭＡ方式を適用するために複数の副搬送波を用いて物理チャンネル信号を送信することによって、高速データ送信が可能である。したがって、ＩＥＥＥ８０２．１６ａ通信システムは、ＯＦＤＭ/ＯＦＤＭＡ方式を使用する広帯域無線接続通信システムである。
【０００６】
下記に、ＩＥＥＥ８０２．１６ａ通信システムの構造を図１を参照して説明する。
図１は、一般的なＩＥＥＥ８０２．１６ａ通信システム構造を示すブロック構成図である。ＩＥＥＥ８０２．１６ａ通信システムは、単一セル（ｓｉｎｇｌｅ  ｃｅｌｌ）構造を有し、基地局（Ｂａｓｅ  Ｓｔａｔｉｏｎ：ＢＳ）１００と、この基地局１００が管理する複数の加入者端末機１１０，１２０，１３０で構成される。基地局１００と加入者端末機１１０，１２０，１３０との間の信号送受信は、ＯＦＤＭ/ＯＦＤＭＡ方式を通じて遂行される。
【０００７】
ここで、ＩＥＥＥ８０２．１６ａ通信システムのダウンリンクフレームの構造は、図２を参照して説明する。図２は、一般的なＩＥＥＥ８０２．１６ａ通信システムのダウンリンクフレームの構造を概略的に示す図である。
【０００８】
図２を参照すると、ＩＥＥＥ８０２．１６ａ通信システムのダウンリンクフレームは、プリアンブル（ｐｒｅａｍｂｌｅ）領域２００と、放送制御領域２１０と、複数の時間分割多重（Ｔｉｍｅ  Ｄｉｖｉｓｉｏｎ  Ｍｕｌｔｉｐｌｅｘ：ＴＤＭ）領域２２０，２３０とを含む。基地局と加入者端末機との相互同期を獲得するための同期信号、すなわちプリアンブルシーケンス（ｐｒｅａｍｂｌｅ  ｓｅｑｕｅｎｃｅ）がプリアンブル領域２００を通じて送信される。放送制御領域２１０は、ダウンリンク（Ｄｏｗｎｌｉｎｋ：ＤＬ）_ＭＡＰ領域２１１と、アップリンク（Ｕｐｌｉｎｋ：ＵＬ）_ＭＡＰ領域２１３を含む。ＤＬ_ＭＡＰ領域２１１は、ＤＬ_ＭＡＰメッセージが送信される領域として、ＤＬ_ＭＡＰメッセージに含まれる情報要素（Ｉｎｆｏｒｍａｔｉｏｎ  Ｅｌｅｍｅｎｔ：ＩＥ）を、下記の＜表１＞に示す。
【０００９】
【表１】
2007535205.tif 000003
【００１０】
＜表１＞に示すように、ＤＬ_ＭＡＰメッセージは、複数のＩＥ、すなわち送信されるメッセージのタイプを示す‘Ｍａｎａｇｅｍｅｎｔ  Ｍｅｓｓａｇｅ  Ｔｙｐｅ’と、同期を獲得するために物理チャンネルに適用される変調方式及び復調方式により設定される‘ＰＨＹ（ｐｈｙｓｉｃａｌ）  Ｓｙｎｃｈｒｏｎｉｚａｔｉｏｎ’と、ダウンリンクバーストプロファイルを含むダウンリンクチャンネルディスクリプト（Ｄｏｗｎｌｉｎｋ  Ｃｈａｎｎｅｌ  Ｄｅｓｃｒｉｐｔ：ＤＣＤ）メッセージの構成変化に対応するカウントを示す‘ＤＣＤ  ｃｏｕｎｔ’と、基地局識別子（Ｂａｓｅ  Ｓｔａｔｉｏｎ  Ｉｄｅｎｔｉｆｉｅｒ：ＢＳＩＤ）を示す‘Ｂａｓｅ  Ｓｔａｔｉｏｎ  ＩＤ’と、この‘Ｂａｓｅ  Ｓｔａｔｉｏｎ  ＩＤ’以後に存在する要素の個数を示す‘Ｎｕｍｂｅｒ  ｏｆ  ＤＬ_ＭＡＰ  Ｅｌｅｍｅｎｔ  ｎ’とを含む。特に、ＤＬ_ＭＡＰメッセージは、後述するレンジングの各々に割り当てられるレンジングコードに関する情報を含む。
【００１１】
また、ＵＬ_ＭＡＰ領域２１３は、ＵＬ_ＭＡＰメッセージが送信される領域として、このＵＬ_ＭＡＰメッセージに含まれるＩＥを示すと、下記の＜表２＞のようである。
【００１２】
【表２】
2007535205.tif 000004
【００１３】
＜表２＞に示すように、ＵＬ_ＭＡＰメッセージは複数のＩＥ、すなわち送信されるメッセージのタイプを示す‘Ｍｇｎａｇｅｍｅｎｔ  Ｍｅｓｓａｇｅ  Ｔｙｐｅ’と、使用されるアップリンクチャンネル識別子を示す‘Ｕｐｌｉｎｋ  Ｃｈａｎｎｅｌ  ＩＤ’と、アップリンクバーストプロファイルを含むアップリンクチャンネルディスクリプト（Ｕｐｌｉｎｋ  Ｃｈａｎｎｅｌ  Ｄｅｓｃｒｉｐｔ：ＵＣＤ）メッセージの構成変化に対応するカウントを示す‘ＵＣＤ  ｃｏｕｎｔ’と、‘ＵＣＤ  ｃｏｕｎｔ’以後に存在する要素の個数を示す‘Ｎｕｍｂｅｒ  ｏｆ  ＵＬ_ＭＡＰ  Ｅｌｅｍｅｎｔ  ｎ’とを含む。ここで、アップリンクチャンネル識別子は、媒体接続制御（Ｍｅｄｉａ  Ａｃｃｅｓｓ  Ｃｏｎｔｒｏｌ：ＭＡＣ）サブ階層（ｓｕｂ-ｌａｙｅｒ）で唯一に割り当てられる。
【００１４】
また、図２に示すように、ＴＤＭ領域２２０，２３０は、加入者端末機別にＴＤＭ/時間分割多重接続（Ｔｉｍｅ  Ｄｉｖｉｓｉｏｎ  Ｍｕｌｔｉｐｌｅ  Ａｃｃｅｓｓ：ＴＤＭＡ）方式で割り当てられたタイムスロット（ｔｉｍｅ  ｓｌｏｔ）に該当する領域である。基地局は、予め設定されたセンターキャリア（ｃｅｎｔｅｒ  ｃａｒｒｉｅｒ）を用いて基地局が管理している加入者端末機に放送すべき放送情報をダウンリンクフレームのＤＬ_ＭＡＰ領域２１１を通じて送信する。加入者端末機は、パワーオン（ｐｏｗｅｒ  ｏｎ）することによって、加入者端末機の各々に予め設定されたすべての周波数帯域をモニタリングし、最も高いパイロットキャリア対干渉雑音比（Ｃａｒｒｉｅｒ  ｔｏ  Ｉｎｔｅｒｆｅｒｅｎｃｅ  ａｎｄ  Ｎｏｉｓｅ  Ｒａｔｉｏ：以下、‘ＣＩＮＲ’とする）を有するパイロットチャンネル信号を検出する。
【００１５】
また、加入者端末機は、最高のＣＩＮＲを有するパイロットチャンネル信号を送信した基地局を自分の現在属している基地局として判断する。この加入者端末機は、基地局で送信するダウンリンクフレームのＤＬ_ＭＡＰ領域２１１とＵＬ_ＭＡＰ領域２１３を確認し、自分のアップリンク及びダウンリンクを制御する制御情報及び実際データ送受信位置を示す情報を確認する。
【００１６】
上記のＵＣＤメッセージの構造を、＜表３＞のように示す。
【００１７】
【表３】
2007535205.tif 000005
【００１８】
＜表３＞に示すように、ＵＣＤメッセージは複数のＩＥ、すなわち送信されるメッセージのタイプを示す‘Ｍａｎａｇｅｍｅｎｔ  Ｍｅｓｓａｇｅ  Ｔｙｐｅ’と、用いられるアップリンクチャンネル識別子を示す‘Ｕｐｌｉｎｋ  Ｃｈａｎｎｅｌ  ＩＤ’と、基地局でカウントされる‘Ｃｏｎｆｉｇｕｒａｔｉｏｎ  Ｃｈａｎｇｅ  Ｃｏｕｎｔ’と、アップリンク物理チャンネルのミニスロット（ｍｉｎｉ-ｓｌｏｔ）のサイズを示す‘Ｍｉｎｉ-ｓｌｏｔ  Ｓｉｚｅ’と、初期レンジングを用いるバックオフの開始点を示す、すなわち初期レンジングを用いる最初バックオフウィンドウサイズを示す‘Ｒａｎｇｉｎｇ  Ｂａｃｋｏｆｆ  Ｓｔａｒｔ’と、初期レンジングを用いるバックオフの終了点を示す、すなわち最終バックオフウィンドウサイズを示す‘Ｒａｎｇｉｎｇ  Ｂａｃｋｏｆｆ  Ｅｎｄ’と、‘ｃｏｎｔｅｎｔｉｏｎ  ｄａｔａ  ａｎｄ  ｒｅｑｕｅｓｔｓ’のためのバックオフの開始点を示す、すなわち最初バックオフウィンドウのサイズを示す‘Ｒｅｑｕｅｓｔ  Ｂａｃｋｏｆｆ  Ｓｔａｒｔ’と、‘ｃｏｎｔｅｎｔｉｏｎ  ｄａｔａ  ａｎｄ  ｒｅｑｕｅｓｔｓ’のためのバックオフの終了点を示す、すなわち最終バックオフウィンドウサイズを示す‘Ｒｅｑｕｅｓｔ  Ｂａｃｋｏｆｆ  Ｅｎｄ’とを含む。
【００１９】
ここで、バックオフ値は、下記に説明するレンジングが失敗した場合に、その次のレンジングのために待機すべき一種の時間値を示す。基地局は、加入者端末機がレンジングに失敗した場合に、その次のレンジングのために待機すべき時間情報であるバックオフ値を加入者端末機に送信しなければならない。例えば、‘Ｒａｎｇｉｎｇ  Ｂａｃｋｏｆｆ  Ｓｔａｒｔ’と‘Ｒａｎｇｉｎｇ  Ｂａｃｋｏｆｆ  Ｅｎｄ’による値が１０に設定されると、加入者端末機は、２１０回（１０２４回）のレンジングを遂行することができる機会をパスした後に、次のレンジングを遂行しなければならない。
【００２０】
ＩＥＥＥ８０２．１６ａ通信システムのアップリンクフレームの構造は、図３を参照して次に説明する。図３は、一般的なＩＥＥＥ８０２．１６ａ通信システムのアップリンクフレームの構造を概略的に示す図である。
【００２１】
図３の説明に先立って、ＩＥＥＥ８０２．１６ａ通信システムで用いられるレンジング、すなわち初期レンジング（ｉｎｉｔｉａｌ  ｒａｎｇｉｎｇ）と、維持管理レンジング（ｍａｉｎｔｅｎａｎｃｅ  ｒａｎｇｉｎｇ）、すなわち周期的レンジング（ｐｅｒｉｏｄｉｃ  ｒａｎｇｉｎｇ）と、帯域要求レンジングについて、それぞれ説明する。
【００２２】
初期レンジングは、基地局が加入者端末機と同期を獲得するために基地局で要求する場合に遂行されるレンジングである。初期レンジングは、加入者端末機と基地局との間に正確な時間オフセットを合わせ、送信電力を調整するために遂行されるレンジングである。すなわち、加入者端末機は、パワーオンした後に、ＤＬ_ＭＡＰメッセージ、ＵＬ_ＭＡＰメッセージ、及びＵＣＤメッセージを受信して基地局と同期を獲得する。その後、加入者端末機は、基地局と時間オフセット及び送信電力を調整するために初期レンジングを遂行する。基地局は、初期レンジング手順を通じて加入者端末機から加入者端末機のＭＡＣアドレスを受信する。基地局は、受信した加入者端末機のＭＡＣアドレスとマッピングされた基本接続識別子（ｂａｓｉｃ  Ｃｏｎｎｅｃｔｉｏｎ  ＩＤ：以下、‘ｂａｓｉｃ  ＣＩＤ’とする）と基本管理接続識別子（以下、ｐｒｉｍａｒｙ  ｍａｎａｇｅｍｅｎｔ  ＣＩＤ）を生成して加入者端末機に送信する。すると、加入者端末機は、初期レンジング手順を通じて加入者端末機自分の‘ｂａｓｉｃ  ＣＩＤ’と‘ｐｒｉｍａｒｙ  ｍａｎａｇｅｍｅｎｔ  ＣＩＤ’を認知するようになる。
【００２３】
ここで、ＩＥＥＥ８０２．１６ａ通信システムは、ＯＦＤＭ/ＯＦＤＭＡ方式を適用するため、レンジング手順はレンジングサブチャンネルとレンジングコードが要求される。基地局は、レンジングの目的、すなわちレンジングの種類により各々使用可能なレンジングコードを割り当てる。これを具体的に説明すると、次のようである。
【００２４】
レンジングコードは、所定の長さ（例えば、２１５-１ビット）を有する疑似ランダム雑音（Ｐｓｅｕｄｏ-ｒａｎｄｏｍ  Ｎｏｉｓｅ：以下、‘ＰＮ’とする）シーケンスを所定の単位でセグメンテーション（ｓｅｇｍｅｎｔａｔｉｏｎ）して生成される。一般的に、５３ビットの長さを有する２個のレンジングサブチャンネルが一個のレンジングチャンネルで構成される。レンジングコードは、１０６ビットの長さを有するレンジングチャンネルを通じてＰＮコードをセグメンテーションして構成する。このようなレンジングコードは、最大４８個（ＲＣ１〜ＲＣ４８）まで加入者端末機に割り当てられ、デフォルト（ｄｅｆａｕｌｔ）値で加入者端末機当たり最小２個のレンジングコードが３つのタイプのレンジング、すなわち初期レンジング、周期的レンジング、及び帯域要求レンジングに適用される。このように、これらレンジングの各々には相互に異なるレンジングコードが割り当てられる。一例として、Ｎ個のレンジングコードが初期レンジングのために割り当てられ（Ｎ  ＲＣｓ  ｆｏｒ  ｉｎｉｔｉａｌ  ｒａｎｇｉｎｇ）、Ｍ個のレンジングコードが周期的レンジングのために割り当てられ（Ｍ  ＲＣｓ  ｆｏｒ  ｐｅｒｉｏｄｉｃ  ｒａｎｇｉｎｇ）、Ｌ個のレンジングコードが帯域要求レンジングのために割り当てられる（Ｌ  ＲＣｓ  ｆｏｒ  ＢＷ-ｒｅｑｕｅｓｔ  ｒａｎｇｉｎｇ）。このように割り当てられたレンジングコードは、上記したように、ＤＬ_ＭＡＰメッセージを通じて加入者端末機に送信され、加入者端末機は、ＤＬ_ＭＡＰメッセージに含まれているレンジングコードをその目的により使用してレンジング手順を遂行する。
【００２５】
周期的レンジングは、初期レンジングを通じて基地局と時間オフセット及び送信電力を調整する加入者端末機が、基地局とチャンネル状態などを調整するために周期的に遂行されるレンジングである。加入者端末機は、周期的レンジングのために割り当てられたレンジングコードを用いて周期的レンジングを遂行する。
【００２６】
帯域要求レンジングは、初期レンジングを通じて基地局と時間オフセット及び送信電力を調整する加入者端末機が、基地局と実際に通信を遂行するために帯域幅割り当てを要求するレンジングである。
【００２７】
図３を参照すると、アップリンクフレームは、初期レンジング及び維持管理レンジング、すなわち周期的レンジングを用いる‘Ｉｎｉｔｉａｌ  Ｍａｉｎｔｅｎａｎｃｅ  Ｏｐｐｏｒｔｕｎｉｔｉｅｓ’領域３００と、帯域要求レンジングを用いる‘Ｒｅｑｕｅｓｔ  Ｃｏｎｔｅｎｔｉｏｎ  Ｏｐｐｏｒｔｕｎｉｔｉｅｓ’領域３１０と、加入者端末機のアップリンクデータを含む‘ＳＳ  ｓｃｈｅｄｕｌｅｄ  ｄａｔａ’領域３２０とを含む。‘Ｉｎｉｔｉａｌ  Ｍａｉｎｔｅｎａｎｃｅ  Ｏｐｐｏｒｔｕｎｉｔｉｅｓ’領域３００は、実際に初期レンジング及び周期的レンジングを含む複数の接続バースト区間と、これら接続バースト区間の間で衝突が発生した場合に衝突（ｃｏｌｌｉｓｉｏｎ）区間とを含む。Ｒｅｑｕｅｓｔ  Ｃｏｎｔｅｎｔｉｏｎ  Ｏｐｐｏｒｔｕｎｉｔｉｅｓ領域３１０は、実際帯域要求レンジングを含む複数の帯域要求区間と、この複数の帯域要求区間の間に衝突が発生する衝突区間を含む。そして、ＳＳ  ｓｃｈｅｄｕｌｅｄ  ｄａｔａ領域３２０は、複数のＳＳ  ｓｃｈｅｄｕｌｅｄ  ｄａｔａ領域（ＳＳ  １  ｓｃｈｅｄｕｌｅｄ  ｄａｔａ領域〜 ＳＳ  Ｎ  ｓｃｈｅｄｕｌｅｄ  ｄａｔａ領域）で構成され、これら複数のＳＳ  ｓｃｈｅｄｕｌｅｄ  ｄａｔａ領域の各々には加入者端末機遷移ギャップ（ＳＳ  ｔｒａｎｓｉｔｉｏｎ  ｇａｐ）が存在する。
【００２８】
ＵＩＵＣ（Ｕｐｌｉｎｋ  Ｉｎｔｅｒｖａｌ  Ｕｓａｇｅ  Ｃｏｄｅ）領域は、オフセット領域に記録されるオフセットの用途を指定する情報が記録される領域である。このＵＩＵＣ領域は、下記の＜表４＞のように示す。
【００２９】
【表４】
2007535205.tif 000006
【００３０】
＜表４＞に示すように、ＵＩＵＣ領域は、オフセット領域に記録されるオフセットの用途を指定する情報が記録される。例えば、このＵＩＵＣ領域に２の値が記録された場合に、初期レンジングに使用される開始オフセットがオフセット領域に記録されることを示す。また、ＵＩＵＣ領域に３の値が記録されると、帯域要求レンジング又は維持管理レンジングに使用される開始オフセットがオフセット領域に記録されることを示す。オフセット領域は、上述したようにＵＩＵＣ領域に記録された情報に対応して初期レンジング、帯域要求レンジング、又は維持管理レンジングに使用される開始オフセット値を記録する領域である。また、ＵＩＵＣ領域で伝送される物理チャンネルの特性に関する情報は、ＵＣＤメッセージに記録される。
【００３１】
次に、ＩＥＥＥ８０２．１６ａ通信システムで基地局と加入者端末機との間のレンジング過程を、図４を参照して説明する。図４は、一般的なＩＥＥＥ８０２．１６ａ通信システムの基地局と加入者端末機との間のレンジング過程を概略的に示すフローチャートである。
【００３２】
図４を参照すると、加入者端末機４００は、パワーオンなることによって、加入者端末機４００に予め設定されたすべての周波数帯域をモニタリングし、最高のＣＩＮＲを有するパイロットチャンネル信号を検出する。また、加入者端末機４００は、最高のＣＩＮＲを有するパイロットチャンネル信号を送信した基地局４２０を加入者端末機４００自分が現在属している基地局４２０で判定する。その後、加入者端末機４００は、基地局４２０から伝送されたダウンリンクフレームのプリアンブルを受信し、基地局４２０とのシステム同期を獲得する。
【００３３】
上述したように、加入者端末機４００と基地局４２０との間にシステム同期が獲得されると、基地局４２０は、加入者端末機４００にＤＬ_ＭＡＰメッセージとＵＬ_ＭＡＰメッセージを送信する（ステップ４１１，４１３）。ここで、ＤＬ_ＭＡＰメッセージは、上記の＜表１＞に示したように、ダウンリンクで加入者端末機４００が基地局４２０に対して同期を獲得するために必要な情報とこれを通じてダウンリンクで加入者端末機４００に伝送されるメッセージを受信することができる物理チャンネルの構造などの情報を前記加入者端末機４００に知らせる機能を遂行する。また、ＵＬ_ＭＡＰメッセージは、上記の＜表２＞に示したように、アップリンクで加入者端末機のスケジューリング周期及び物理チャンネルの構造などの情報を加入者端末機４００に知らせる機能を遂行する。
【００３４】
一方、ＤＬ_ＭＡＰメッセージは、基地局からすべての加入者端末機に周期的にブロードキャストされる。任意の加入者端末機がＤＬ_ＭＡＰメッセージを持続的に受信可能である場合は、基地局と同期が一致することを示す。すなわち、ＤＬ_ＭＡＰメッセージを受信した加入者端末機は、ダウンリンクを通じて伝送されるすべてのメッセージを受信することができる。また、＜表２＞に示したように、基地局は、加入者端末機がアクセスに失敗した場合に、使用可能なバックオフ値を知らせる情報を含むＵＣＤメッセージを加入者端末機に送信する。
【００３５】
一方、基地局４２０と同期を獲得した加入者端末機４００がレンジングを遂行する場合に、加入者端末機４００は、基地局４２０にレンジング要求（ＲＮＧ_ＲＥＱ）メッセージを送信する（ステップ４１５）。その後、ＲＮＧ_ＲＥＱメッセージを受信した基地局４２０は、加入者端末機４００にレンジングのための周波数、時間、及び送信電力を補正するための情報を含むレンジング応答（ＲＮＧ_ＲＳＰ）メッセージを送信する（ステップ４１７）。
【００３６】
ここで、ＲＮＧ_ＲＥＱメッセージの構造は、下記の＜表５＞のように示す。
【００３７】
【表５】
2007535205.tif 000007
【００３８】
＜表５＞に示すように、‘Ｄｏｗｎｌｉｎｋ  Ｃｈａｎｎｅｌ  ＩＤ’は、加入者端末機４００がＵＣＤを通じて受信したＲＮＧ_ＲＥＱメッセージに含まれたダウンリンクチャンネル識別子を示す。‘Ｐｅｎｄｉｎｇ  Ｕｎｔｉｌ  Ｃｏｍｐｌｅｔｅ’は、伝送されるレンジング応答の優先順位を示す。すなわち、‘Ｐｅｎｄｉｎｇ  Ｕｎｔｉｌ  Ｃｏｍｐｌｅｔｅ’が０の値を有すると、以前のレンジング応答が高い優先順位をゆする。一方、‘Ｐｅｎｄｉｎｇ  Ｕｎｔｉｌ  Ｃｏｍｐｌｅｔｅ’が０でないと、現在伝送されたレンジング応答が高い優先順位を有する。
【００３９】
上記の＜表５＞に示したＲＮＧ_ＲＥＱメッセージに対応するＲＮＧ_ＲＳＰメッセージの構造を示すと、下記の＜表６＞のように示す。
【００４０】
【表６】
2007535205.tif 000008
【００４１】
＜表６＞に示すように、‘Ｕｐｌｉｎｋ  Ｃｈａｎｎｅｌ  ＩＤ’は、ＲＮＧ_ＲＥＱメッセージに含まれたアップリンクチャンネルの識別子を示す。一方、図４では、ＩＥＥＥ８０２．１６ａ通信システムが現在加入者端末機が固定された状態のみを考慮するため、すなわち、加入者端末機の移動性を全く考慮しないため、前記加入者端末機４００と通信を遂行する基地局４２０は、無条件にサービング基地局となる。
【００４２】
上述したように、ＩＥＥＥ８０２．１６ａ通信システムは、現在加入者端末機が固定された状態、すなわち加入者端末機の移動性を全く考慮しない状態及び単一セル構造のみを考慮している。しかしながら、ＩＥＥＥ８０２．１６ｅ通信システムは、ＩＥＥＥ８０２．１６ａ通信システムに加入者端末機の移動性を考慮するシステムとして規定している。したがって、ＩＥＥＥ８０２．１６ｅシステムは、多重セル環境で加入者端末機の移動性を考慮すべきである。このように多重セル環境での加入者端末機の移動性を支援するために、加入者端末機及び基地局の動作の変更が必ず要求される。特に、加入者端末機の移動性を支援するために、多重セル構造を考慮した加入者端末機のハンドオーバーに関する研究が活発に進行されている。
【００４３】
下記に、ＩＥＥＥ８０２．１６ｅ通信システムの構造について、図５を参照して説明する。
【００４４】
図５は、一般的なＩＥＥＥ８０２．１６ｅ通信システムの構造を概略的に示すブロック構成図である。
【００４５】
図５を参照すると、ＩＥＥＥ８０２．１６ｅ通信システムは、多重セル構造、すなわちセル５００とセル５５０を有する。また、ＩＥＥＥ８０２．１６ｅ通信システムは、セル５００を管理する基地局５１０と、セル５５０を管理する基地局５４０と、複数の移動加入者端末機（Ｍｏｂｉｌｅ  Ｓｕｂｓｃｒｉｂｅｒ  Ｓｔａｔｉｏｎ：ＭＳＳ）５１１，５１３，５３０，５５１，５５３とを含む。基地局５１０，５４０と移動加入者端末機５１１，５１３，５３０，５５１，５５３との間の信号送受信は、ＯＦＤＭ/ＯＦＤＭＡ方式を用いて遂行される。ここで、移動加入者端末機５１１，５１３，５３０，５５１，５５３のうち、移動加入者端末機５３０は、セル５００とセル５５０の境界領域、すなわちハンドオーバー（ｈａｎｄｏｖｅｒ）領域に存在する。したがって、移動加入者端末機５３０に対するハンドオーバーを支援し  なければ、移動加入者端末機５３０に対する移動性を支援することができなくなる。
【００４６】
ＩＥＥＥ８０２．１６ｅ通信システムで任意の移動加入者端末機は、複数の基地局から伝送されたパイロットチャンネル信号を受信する。また、移動加入者端末機は、受信されたパイロットチャンネル信号のＣＩＮＲを測定する。移動加入者端末機は測定された複数のパイロットチャンネル信号のＣＩＮＲの中で最も力強いサイズのＣＩＮＲを有するパイロットチャンネル信号を送信した基地局を移動加入者端末機自身が現在属している基地局として選択する。すなわち、移動加入者端末機はパイロットチャンネル信号を送信する複数の基地局のうち、移動加入者端末機が最も良好に受信することができるパイロットチャンネル信号を送信する基地局を移動加入者端末機が属する基地局として認識するようになる。つまり、移動加入者端末機が現在属している基地局がサービング基地局となる。このサービング基地局を選択した移動加入者端末機は、サービング基地局で送信するダウンリンクフレーム及びアップリンクフレームを受信する。ここで、ＩＥＥＥ８０２．１６ｅ通信システムのダウンリンクフレーム及びアップリンクフレームは、図２及び図３に説明したＩＥＥＥ８０２．１６ａ通信システムのダウンリンクフレーム及びアップリンクフレームと同一の構造を有する。
【００４７】
サービング基地局は、移動加入者端末機に移動加入者端末機隣接基地局広告（Ｍｏｂｉｌｅ  Ｓｕｂｓｃｒｉｂｅｒ  Ｓｔａｔｉｏｎ  Ｎｅｉｇｈｂｏｒ  Ａｄｖｅｒｔｉｓｅｍｅｎｔ：以下、‘ＭＯＢ_ＮＢＲ_ＡＤＶ’とする）メッセージを送信する。ここで、ＭＯＢ_ＮＢＲ_ＡＤＶメッセージの構造は、下記の＜表７＞のように示す。
【００４８】
【表７】
2007535205.tif 000009
【００４９】
＜表７＞に示すように、ＭＯＢ_ＮＢＲ_ＡＤＶメッセージは、複数のＩＥ、すなわち送信されるメッセージのタイプを示す‘Ｍａｎａｇｅｍｅｎｔ  Ｍｅｓｓａｇｅ  Ｔｙｐｅ’と、構成（ｃｏｎｆｉｇｕｒａｔｉｏｎ）が変更される数を示す‘Ｃｏｎｆｉｇｕｒａｔｉｏｎ  Ｃｈａｎｇｅ  Ｃｏｕｎｔ’と、隣接基地局の個数を示す‘Ｎ_ＮＥＩＧＨＢＯＲＳ’と、隣接基地局の識別子を示す‘Ｎｅｉｇｈｂｏｒ  ＢＳ-ＩＤ’と、隣接基地局の物理チャンネル周波数を示す‘Ｐｈｙｓｉｃａｌ  Ｆｒｅｑｕｅｎｃｙ’と、情報以外に隣接基地局と関連したその他の情報を示す‘ＴＬＶ  Ｅｎｃｏｄｅｄ  Ｎｅｉｇｈｂｏｒ  Ｉｎｆｏｒｍａｔｉｏｎ’とを含む。
【００５０】
一方、ＭＯＢ_ＮＢＲ_ＡＤＶメッセージを受信した移動加入者端末機は、移動加入者端末機が隣接基地局から送信されるパイロットチャンネル信号のＣＩＮＲをスキャニングしようとするときに、サービング基地局に移動加入者端末機スキャン要求（Ｍｏｂｉｌｅ  Ｓｕｖｓｃｒｉｂｅｒ  Ｓｔａｔｉｏｎ  Ｓｃａｎｎｉｎｇ  Ｉｎｔｅｒｖａｌ  Ａｌｌｏｃａｔｉｏｎ  Ｒｅｑｕｅｓｔ：以下、‘ＭＯＢ_ＳＣＮ_ＲＥＱ’とする）メッセージを送信する。移動加入者端末機がスキャン要求をする時点は、パイロットチャンネル信号のＣＩＮＲスキャニング動作と直接的な関連がないため、ここではその具体的な説明を省略する。
【００５１】
ＭＯＢ_ＳＣＮ_ＲＥＱメッセージの構造は、下記の＜表８＞のように示す。
【００５２】
【表８】
2007535205.tif 000010
【００５３】
＜表８＞に示すように、ＭＯＢ_ＳＣＮ_ＲＥＱメッセージは、複数のＩＥ、すなわち送信されるメッセージのタイプを示す‘Ｍａｎａｇｅｍｅｎｔ  Ｍｅｓｓａｇｅ  Ｔｙｐｅ’と、隣接基地局から伝送されたパイロット信号のＣＩＮＲをスキャニングしようとするスキャン区間を示す‘Ｓｃａｎ  Ｄｕｒａｔｉｏｎ’を含む。この‘Ｓｃａｎ  Ｄｕｒａｔｉｏｎ’はフレーム単位で構成される。ここで、ＭＯＢ_ＳＣＮ_ＲＥＱメッセージが伝送される‘Ｍａｎａｇｅｍｅｎｔ  Ｍｅｓｓａｇｅ  Ｔｙｐｅ’は、現在まで決定されていない状態である（Ｍａｎａｇｅｍｅｎｔ  Ｍｅｓｓａｇｅ  Ｔｙｐｅ＝ｕｎｄｅｆｉｎｅｄ  ｏｒ  ‘？’）。
【００５４】
一方、ＭＯＢ_ＳＣＮ_ＲＥＱメッセージを受信したサービング基地局は、移動加入者端末機がスキャンする情報を含む移動加入者端末機スキャン応答（ＭＯＢ_ＳＣＮ_ＲＳＰ）メッセージを移動加入者端末機に送信する。ここで、このＭＯＢ_ＳＣＮ_ＲＳＰメッセージの構造を示すと、下記の＜表９＞のようである。
【００５５】
【表９】
2007535205.tif 000011
【００５６】
＜表９＞に示すように、ＭＯＢ_ＳＣＮ_ＲＳＰメッセージは、複数のＩＥ、すなわち送信されるメッセージのタイプを示す‘Ｍａｎａｇｅｍｅｎｔ  Ｍｅｓｓａｇｅ  Ｔｙｐｅ’と、ＭＯＢ_ＳＣＮ_ＲＥＱメッセージを伝送した移動加入者端末機の接続識別子（ＣＩＤ）と、スキャン区間とを含む。＜表９＞で、ＭＯＢ_ＳＣＮ_ＲＳＰメッセージが伝送される‘Ｍａｎａｇｅｍｅｎｔ  Ｍｅｓｓａｇｅ  Ｔｙｐｅ’は、現在決定されない状態であり（Ｍａｎａｇｅｍｅｎｔ  Ｍｅｓｓａｇｅ  Ｔｙｐｅ＝ｕｎｄｅｆｉｎｅｄ）、スキャン区間は移動加入者端末機がパイロットＣＩＮＲスキャニングを遂行する区間を示す。スキャニング情報を含むＭＯＢ_ＳＣＮ_ＲＳＰメッセージを受信した移動加入者端末機は、スキャニング情報パラメーターに対応してＭＯＢ_ＮＢＲ_ＡＤＶメッセージを通じて認識した隣接基地局に対するパイロットＣＩＮＲをスキャニングする。
【００５７】
このようにＩＥＥＥ８０２．１６ｅ通信システムでハンドオーバーを支援するために、移動加入者端末機は、隣接基地局及び移動加入者端末機が現在属している基地局、すなわちサービング基地局から送信されるパイロットチャンネル信号のＣＩＮＲを測定しなければならない。また、サービング基地局から送信されるパイロットチャンネル信号のＣＩＮＲが、隣接基地局から送信されるパイロットチャンネル信号のＣＩＮＲより低い場合に、加入者端末機は、サービング基地局にハンドオーバーを要求するようになる。ここで、‘パイロットチャンネル信号のＣＩＮＲを測定する’との表現は、説明の便宜上、‘パイロットチャンネル信号のＣＩＮＲをスキャン或いはスキャニングする’と称することにする。ここで、スキャン或いはスキャニングの概念は同一で、但し、説明の便宜上混用することである。
【００５８】
下記に、ＩＥＥＥ８０２．１６ｅ通信システムで移動加入者端末機の要求によるハンドオーバー過程は、図６を参照して説明する。図６は、一般的なＩＥＥＥ８０２．１６ｅ通信システムで、移動加入者端末機要求によるハンドオーバー過程を示すフローチャートである。
【００５９】
図６を参照すると、サービング基地局６４０は、移動加入者端末機６００にＭＯＢ_ＮＢＲ_ＡＤＶメッセージを送信する（ステップ６１１）。すると、移動加入者端末機６００は、ＭＯＢ_ＮＢＲ_ＡＤＶメッセージを受信することによって、隣接基地局に対する情報が獲得可能であり、移動加入者端末機６００が隣接基地局から送信されるパイロットチャンネル信号のＣＩＮＲをスキャニングしようとするときに、サービング基地局６４０にＭＯＢ_ＳＣＮ_ＲＥＱメッセージを送信する（ステップ６１３）。ここで、移動加入者端末機６００がスキャン要求をする時点は、パイロットチャンネル信号のＣＩＮＲスキャニング動作と直接的な関連がないため、その具体的な説明は省略する。一方、ＭＯＢ_ＳＣＮ_ＲＥＱメッセージを受信したサービング基地局６４０は、移動加入者端末機６００がスキャニングする情報を含むＭＯＢ_ＳＣＮ_ＲＳＰメッセージを移動加入者端末機６００に送信する（ステップ６１５）。スキャニング情報を含むＭＯＢ_ＳＣＮ_ＲＳＰメッセージを受信した移動加入者端末機６００は、ＭＯＢ_ＮＢＲ_ＡＤＶメッセージの受信を通じて獲得した隣接基地局に対して、ＭＯＢ_ＳＣＮ_ＲＳＰメッセージに含まれているパラメーター、すなわちスキャン区間に対応してパイロットチャンネル信号のＣＩＮＲスキャニングを遂行する（ステップ６１７）。
【００６０】
次に、隣接基地局から受信されるパイロットチャンネル信号のＣＩＮＲをスキャニング完了した後に、移動加入者端末機６００が現在前記移動加入者端末機６００の属しているサービング基地局を変更することを決定すると（ステップ６１９）、すなわち、移動加入者端末機６００が現在のサービング基地局を基地局６４０と相異なる新たな基地局に変更すべきであることを決定すると、移動加入者端末機６００は、サービング基地局６１０に移動加入者端末機ハンドオーバー要求（Ｍｏｂｉｌｅ  Ｓｕｂｓｃｒｉｂｅｒ  Ｓｔａｔｉｏｎ  Ｈａｎｄｏｖｅｒ  Ｒｅｑｕｅｓｔ：以下、‘ＭＯＢ_ＭＳＳＨＯ_ＲＥＱ’とする）メッセージを送信する（ステップ６２１）。ここで、移動加入者端末機６００が現在属しているサービング基地局でない新たな基地局、すなわちハンドオーバーする基地局を‘ターゲット基地局（ｔａｒｇｅｔ  ＢＳ）’と称する。また、ＭＯＢ_ＭＳＳＨＯ_ＲＥＱメッセージの構造は、下記の＜表１０＞のように示す。
【００６１】
【表１０】
2007535205.tif 000012
【００６２】
＜表１０＞に示すように、ＭＯＢ_ＭＳＳＨＯ_ＲＥＱメッセージは、複数のＩＥ、すなわち送信されるメッセージのタイプを示す‘Ｍａｎａｇｅｍｅｎｔ  Ｍｅｓｓａｇｅ  Ｔｙｐｅ’と、移動加入者端末機がスキャニングした結果を示す‘Ｎ_Ｒｅｃｏｍｍｅｎｄｅｄ’を含む。ここで、＜表１０＞に示すように、‘Ｎ_Ｒｅｃｏｍｍｅｎｄｅｄ’は、隣接基地局の識別子、この隣接基地局の各々に対するパイロットチャンネル信号のＣＩＮＲ、及び隣接基地局から移動加入者端末機に提供されると予想されるサービスレベルを含む。
【００６３】
一方、サービング基地局６４０は、移動加入者端末機６００が送信したＭＯＢ_ＭＳＳＨＯ_ＲＥＱメッセージを受信すると、受信されたＭＯＢ_ＭＳＳＨＯ_ＲＥＱメッセージの‘Ｎ_Ｒｅｃｏｍｍｅｎｄｅｄ’情報によって移動加入者端末機６００がハンドオーバー可能なターゲット基地局リストを検出する（ステップ６２３）。ここで、説明の便宜上、移動加入者端末機６００がハンドオーバー可能なターゲット基地局リストを‘ハンドオーバー可能ターゲット基地局リスト’と呼ばれる。図６では、第１のターゲット基地局６６０と第２のターゲット基地局６８０が、ハンドオーバー可能ターゲット基地局リストに存在すると仮定する。もちろん、ハンドオーバー可能ターゲット基地局リストは、複数のターゲット基地局が含まれる可能性がある。サービング基地局６４０は、ハンドオーバー可能ターゲット基地局リストに属するターゲット基地局、すなわち第１のターゲット基地局６６０と第２のターゲット基地局６８０にハンドオーバー通知（Ｈｎａｄｏｖｅｒ  Ｎｏｔｉｆｉｃａｔｉｏｎ：以下、‘ＨＯ_ｎｏｔｉｆｉｃａｔｉｏｎ’とする）メッセージを送信する（ステップ６２５，６２７）。ここで、ＨＯ_ｎｏｔｉｆｉｃａｔｉｏｎメッセージの構造を示すと、下記の＜表１１＞のようである。
【００６４】
【表１１】
2007535205.tif 000013
【００６５】
＜表１１＞に示すように、ＨＯ_ｎｏｔｉｆｉｃａｔｉｏｎメッセージは、複数のＩＥ、すなわちターゲット基地局である第１のターゲット基地局６６０或いは第２のターゲット基地局６８０にハンドオーバーしようとする移動加入者端末機６００の識別子ＭＳＳ  ＩＤと、移動加入者端末機６００がハンドオーバーを開始する推定時間と、移動加入者端末機６００が新たなサービング基地局となるターゲット基地局に要求する帯域幅及び前記移動加入者端末機６００に提供されるサービスレベルなどの情報とを含む。ここで、移動加入者端末機６００が要求する帯域幅及びサービスレベルは、＜表１０＞に示したＭＯＢ_ＭＳＳＨＯ_ＲＥＱメッセージに記録された予想サービスレベル情報と同一である。
【００６６】
一方、第１のターゲット基地局６６０又は第２のターゲット基地局６８０は、サービング基地局６４０からＨＯ_ｎｏｔｉｆｉｃａｔｉｏｎメッセージを受信すると、ＨＯ_ｎｏｔｉｆｉｃａｔｉｏｎメッセージに対する応答メッセージであるハンドオーバー通知応答（以下、‘ＨＯ_ｎｏｔｉｆｉｃａｔｉｏｎ_ｒｅｓｐｏｎｓｅ’と称する）メッセージをサービング基地局６４０に送信する（ステップ６２９，６３１）。このＨＯ_ｎｏｔｉｆｉｃａｔｉｏｎ_ｒｅｓｐｏｎｓｅメッセージの構造は、下記の＜表１２＞のように示す。
【００６７】
【表１２】
2007535205.tif 000014
【００６８】
＜表１２＞に示すように、ＨＯ_ｎｏｔｉｆｉｃａｔｉｏｎ_ｒｅｓｐｏｎｓｅメッセージは、複数のＩＥ、すなわちターゲット基地局にハンドオーバーしようとする移動加入者端末機の識別子ＭＳＳ  ＩＤと、ターゲット基地局が移動加入者端末機のハンドオーバー要求によってハンドオーバーを遂行するか否かに対する応答ＡＣＫ/ＮＡＣＫと、各ターゲット基地局に移動加入者端末機がハンドオーバーしたときに、ターゲット基地局の各々が提供可能な帯域幅及びサービスレベル情報を含む。
【００６９】
一方、第１のターゲット基地局６６０及び第２のターゲット基地局６８０からＨＯ_ｎｏｔｉｆｉｃａｔｉｏｎ_ｒｅｓｐｏｎｓｅメッセージを受信したサービング基地局６４０は、この受信したＨＯ_ｎｏｔｉｆｉｃａｔｉｏｎ_ｒｅｓｐｏｎｓｅメッセージを分析し、移動加入者端末機６００がハンドオーバーしたときに移動加入者端末機６００が要求する帯域幅とサービスレベルを最適に提供できるターゲット基地局を移動加入者端末機６００がハンドオーバーする最終ターゲット基地局として選択する。その一例として、第１のターゲット基地局６６０によって提供されるサービスレベルは、移動加入者端末機６００が要求したサービスレベルより低く、第２のターゲット基地局６８０によって提供されるサービスレベルは移動加入者端末機６００が要求したサービスレベルと同一であると仮定すると、サービング基地局６４０は、第２のターゲット基地局６６０を移動加入者端末機６００がハンドオーバーする最終ターゲット基地局として選択する。したがって、サービング基地局６４０は、第２のターゲット基地局６８０にＨＯ_ｎｏｔｉｆｉｃａｔｉｏｎ_ｒｅｓｐｏｎｓｅメッセージに対する応答メッセージとしてハンドオーバー通知確認（ＨＯ_ｎｏｔｉｆｉｃａｔｉｏｎ_ｃｏｎｆｉｒｍ)メッセージを送信する（ステップ６３３)。このＨＯ_ｎｏｔｉｆｉｃａｔｉｏｎ_ｃｏｎｆｉｒｍメッセージの構造を示すと、下記の＜表１３＞のようである。
【００７０】
【表１３】
2007535205.tif 000015
【００７１】
＜表１３＞に示すように、ＨＯ_ｎｏｔｉｆｉｃａｔｉｏｎ_ｃｏｎｆｉｒｍメッセージは、複数のＩＥ、すなわち選択されたターゲット基地局にハンドオーバーしようとする移動加入者端末機の識別子ＭＳＳ  ＩＤと、選択されたターゲット基地局に移動加入者端末機がハンドオーバーしたときにターゲット基地局によって提供可能である帯域幅及びサービスレベル情報を含む。
【００７２】
また、サービング基地局６４０は、移動加入者端末機６００にＭＯＢ_ＭＳＳＨＯ_ＲＥＱメッセージに対する応答メッセージとして移動加入者端末機ハンドオーバー応答（ＭＯＢ_ＨＯ_ＲＳＰ）メッセージを送信する（ステップ６３５）。ここで、ＭＯＢ_ＨＯ_ＲＳＰメッセージは、移動加入者端末機６００がハンドオーバーするターゲット基地局に対する情報が含まれる。ＭＯＢ_ＨＯ_ＲＳＰメッセージの構造は、下記の＜表１４＞に示すようである。
【００７３】
【表１４】
2007535205.tif 000016
【００７４】
＜表１４＞に示すように、ＭＯＢ_ＨＯ_ＲＳＰメッセージは、複数のＩＥ、すなわち送信されるメッセージのタイプを示す‘Ｍａｎａｇｅｍｅｎｔ  Ｍｅｓｓａｇｅ  Ｔｙｐｅ’と、ハンドオーバー手順を始める推定時間と、サービング基地局によって選択されたターゲット基地局に対する結果を示す‘Ｎ_Ｒｅｃｏｍｍｅｎｄｅｄ’とを含む。ここで、＜表１４＞に示すように、‘Ｎ_Ｒｅｃｏｍｍｅｎｄｅｄ’は、選択されたターゲット基地局の識別子と、ターゲット基地局の各々から移動加入者端末機に提供されるサービスレベルを含む。図６において、ハンドオーバー可能ターゲット基地局リストに存在するターゲット基地局のうち、最終的に第２のターゲット基地局６８０の１個のターゲット基地局情報のみがＭＯＢ_ＨＯ_ＲＳＰメッセージに含まれる。しかしながら、ハンドオーバー可能ターゲット基地局リストに存在するターゲット基地局のうち、移動加入者端末機６００が要求する帯域幅及びサービスレベルを提供可能なターゲット基地局が複数である場合に、ＭＯＢ_ＨＯ_ＲＳＰメッセージは複数のターゲット基地局に対する情報を含む。
【００７５】
次に、ＭＯＢ_ＨＯ_ＲＳＰメッセージを受信した移動加入者端末機６００は、ＭＯＢ_ＨＯ_ＲＳＰメッセージに含まれる‘Ｎ_Ｒｅｃｏｍｍｅｎｄｅｄ’情報を分析し、移動加入者端末機６００がハンドオーバーするターゲット基地局を選択する。ハンドオーバーするターゲット基地局を選択した移動加入者端末機６００は、サービング基地局６４０にＭＯＢ_ＨＯ_ＲＳＰメッセージに対する応答メッセージである移動加入者端末機ハンドオーバー指示（ＭＯＢ_ＨＯ_ＩＮＤ）メッセージを送信する（ステップ６３７）。ＭＯＢ_ＨＯ_ＩＮＤメッセージの構造は、下記の＜表１５＞に示すようである。
【００７６】
【表１５】
2007535205.tif 000017
【００７７】
＜表１５＞に示すように、ＭＯＢ_ＨＯ_ＩＮＤメッセージは、複数のＩＥ、すなわち送信されるメッセージのタイプを示す‘Ｍａｎａｇｅｍｅｎｔ  Ｍｅｓｓａｇｅ  Ｔｙｐｅ’と、移動加入者端末機によって選択されたターゲット基地局の識別子‘Ｔａｒｇｅｔ_ＢＳ_ＩＤ’と、情報以外に関連したその他の情報を示す‘ＴＬＶ  Ｅｎｃｏｄｅｄ  Ｉｎｆｏｒｍａｔｉｏｎ’とを含む。
【００７８】
ＭＯＢ_ＨＯ_ＩＮＤメッセージを受信したサービング基地局６４０は、移動加入者端末機６００がＭＯＢ_ＨＯ_ＩＮＤメッセージに含まれているターゲット基地局、すなわち第２のターゲット基地局６８０にハンドオーバーすることを認識した後に、移動加入者端末機６００と現在セットアップされるリンクを解除する（ステップ６３９）。このように、サービング基地局６４０とのリンクが解除されると、移動加入者端末機６００は、第２のターゲット基地局６８０とハンドオーバーを遂行する（ステップ６４１）。
【００７９】
下記に、ＩＥＥＥ８０２．１６ｅ通信システムで基地局要求によるハンドオーバー過程は、図７を参照して説明する。
【００８０】
図７は、一般的なＩＥＥＥ８０２．１６ｅ通信システムで基地局要求によるハンドオーバー過程を示すフローチャートである。
【００８１】
図７の説明に先立って、基地局要求によるハンドオーバーが発生する場合は、基地局自分のロード（ｌｏａｄ）が過多になって隣接基地局に基地局自分のロードを分散させるためのロード共有（ｌｏａｄ  ｓｈａｒｉｎｇ）が必要であり、或いは移動加入者端末機のアップリンク状態変化に対処するための場合である。
【００８２】
図７を参照すると、サービング基地局７４０は、移動加入者端末機７００にＭＯＢ_ＮＢＲ_ＡＤＶメッセージを送信する（ステップ７１１）。すると、移動加入者端末機７００は、ＭＯＢ_ＮＢＲ_ＡＤＶメッセージを受信し、隣接基地局に対する情報を獲得する。移動加入者端末機７００は、隣接基地局から送信されるパイロットチャンネル信号のＣＩＮＲをスキャニングしようとするときに、サービング基地局７４０にＭＯＢ_ＳＣＮ_ＲＥＱメッセージを送信する（ステップ７１３）。移動加入者端末機７００が、スキャン要求をする時点はパイロットチャンネル信号のＣＩＮＲスキャニング動作と直接的な関連がないため、ここではその具体的な説明を省略する。ＭＯＢ_ＳＣＮ_ＲＥＱメッセージを受信したサービング基地局７４０は、移動加入者端末機７００がスキャニングする情報を含むＭＯＢ_ＳＣＮ_ＲＳＰメッセージを移動加入者端末機７００に送信する（ステップ７１５）。スキャニング情報を含むＭＯＢ_ＳＣＮ_ＲＳＰメッセージを受信した移動加入者端末機７００は、ＭＯＢ_ＮＢＲ_ＡＤＶメッセージの受信を通じて獲得した隣接基地局に対して、ＭＯＢ_ＳＣＮ_ＲＳＰメッセージに含まれているパラメーター、すなわちスキャン区間に対応してパイロットチャンネル信号のＣＩＮＲスキャニングを遂行する（ステップ７１７）。
【００８３】
一方、サービング基地局７４０によって管理される移動加入者端末機７００がハンドオーバー必要性によってハンドオーバー手順の遂行を決定する場合に（ステップ７１９）、サービング基地局７４０は隣接基地局７６０，７８０にＨＯ_ｎｏｔｉｆｉｃａｔｉｏｎメッセージを送信する（ステップ７２１，７２３）。ここで、ＨＯ_ｎｏｔｉｆｉｃａｔｉｏｎメッセージは、移動加入者端末機７００の新たなサービング基地局になるターゲット基地局によって提供されるべき帯域幅及びサービスレベルに関する情報を含む。図７では、サービング基地局７４０の隣接基地局が第１のターゲット基地局７６０及び第２のターゲット基地局７８０の２個の基地局であると仮定する。
【００８４】
第１のターゲット基地局７６０及び第２のターゲット基地局７８０は、各々ＨＯ_ｎｏｔｉｆｉｃａｔｉｏｎメッセージを受信し、このＨＯ_ｎｏｔｉｆｉｃａｔｉｏｎメッセージに対する応答メッセージとしてＨＯ_ｎｏｔｉｆｉｃａｔｉｏｎ_ｒｅｓｐｏｎｓｅメッセージをサービング基地局７４０に送信する（ステップ７２５，７２７）。＜表１２＞に示したように、このＨＯ_ｎｏｔｉｆｉｃａｔｉｏｎ_ｒｅｓｐｏｎｓｅメッセージは、ターゲット基地局がサービング基地局７４０によって要求されるハンドオーバーを遂行することができるか否かを示す応答ＡＣＫ/ＮＡＣＫと移動加入者端末機７００に提供される帯域幅及びサービスレベル情報とを含む。
【００８５】
次に、第１のターゲット基地局７６０と第２のターゲット基地局７８０からＨＯ_ｎｏｔｉｆｉｃａｔｉｏｎ_ｒｅｓｐｏｎｓｅメッセージを受信すると、サービング基地局７４０は、移動加入者端末機７００によって要求される帯域幅とサービスレベルを提供して上げられるターゲット基地局を選択する。一例として、第１のターゲット基地局７６０が提供可能なサービスレベルは、移動加入者端末機７００が要求したサービスレベルより低く、第２のターゲット基地局７８０が提供可能なサービスレベルは移動加入者端末機７００が要求したサービスレベルと同一であると仮定すると、サービング基地局７４０は、第２のターゲット基地局７８０を移動加入者端末機７００がハンドオーバーする最終ターゲット基地局として選択する。なお、最終ターゲット基地局として第２のターゲット基地局７８０を選択したサービング基地局７４０は、ＨＯ_ｎｏｔｉｆｉｃａｔｉｏｎ_ｒｅｓｐｏｎｓｅメッセージに対する応答メッセージとしてＨＯ_ｎｏｔｉｆｉｃａｔｉｏｎ_ｃｏｎｆｉｒｍメッセージを送信する（ステップ７２９）。
【００８６】
次に、第２のターゲット基地局７８０にＨＯ_ｎｏｔｉｆｉｃａｔｉｏｎ_ｃｏｎｆｉｒｍメッセージを送信した後に、サービング基地局７４０は、移動加入者端末機７００にＭＯＢ_ＨＯ_ＲＳＰメッセージを送信する。ここで、ＭＯＢ_ＨＯ_ＲＳＰメッセージは、サービング基地局７４０によって選択されたＮ_Ｒｅｃｏｍｍｅｎｄｅｄ情報、すなわち、選択されたターゲット基地局（図７では第２のターゲット基地局７８０）とターゲット基地局から移動加入者端末機に提供可能な帯域幅及びサービスレベルを含む。ＭＯＢ_ＨＯ_ＲＳＰメッセージを受信した移動加入者端末機７００は、サービング基地局７４０によりハンドオーバーが要求されたことを感知し、ＭＯＢ_ＨＯ_ＲＳＰメッセージに含まれたＮ_Ｒｅｃｏｍｍｅｎｄｅｄ情報を参考してハンドオーバーを遂行する最終ターゲット基地局を選択する。移動加入者端末機７００は、ハンドオーバーする最終ターゲット基地局を選択した後に、ＭＯＢ_ＨＯ_ＲＳＰメッセージに対する応答メッセージであるＭＯＢ_ＨＯ_ＩＮＤメッセージをサービング基地局７４０に送信する（ステップ７３３）。すると、ＭＯＢ_ＨＯ_ＩＮＤメッセージを受信したサービング基地局７４０は、移動加入者端末機７００がＭＯＢ_ＨＯ_ＩＮＤメッセージに含まれているターゲット基地局にハンドオーバーすることを認識した後に、移動加入者端末機７００と現在セットアップされているリンクを解除する（ステップ７３５）。このように、サービング基地局７４０とのリンクが解除されると、移動加入者端末機７００は、第２のターゲット基地局７８０とハンドオーバー手順を遂行する（ステップ７３７）。
【００８７】
上述したように、ＩＥＥＥ８０２．１６ｅ通信システムで現在提案されたハンドオーバー手順は、サービング基地局が隣接基地局の情報を収集し、ＨＯ-ｎｏｔｉｆｉｃａｔｉｏｎメッセージを伝送し、ハンドオーバーに要求される情報を収集する。その後、サービング基地局は、このＨＯ-ｎｏｔｉｆｉｃａｔｉｏｎメッセージに対する応答メッセージとしてＨＯ_ｎｏｔｉｆｉｃａｔｉｏｎ_ｒｅｓｐｏｎｓｅメッセージを受信し、ターゲット基地局の情報を含むＭＯＢ_ＨＯ_ＲＳＰメッセージを該当移動加入者端末機にハンドオーバー可能な移動加入者端末機に伝送する。一方、移動加入者端末機は、ＭＯＢ_ＨＯ_ＲＳＰメッセージに含まれたハンドオーバー可能なターゲット基地局のリストからハンドオーバーする基地局を決定してサービング基地局にＭＯＢ_ＨＯ_ＩＮＤメッセージを通じて伝送する。移動加入者端末機は、現在サービング基地局との接続を切断し、ハンドオーバーすることに決定された基地局との接続を試す。
【００８８】
上記のように、現在までにはハンドオーバーに対する簡単な手順のみが定義されている。しかしながら、実際に多様な無線環境の広帯域移動通信サービスでは前記手順に言及されない多様な状況が存在できる。例えば、サービング基地局が、加入者端末機にサービング基地局のリソース状態により強制的にハンドオーバーするようにし、或いは、加入者端末機がサービング基地局から受信したハンドオーバー要求に対して拒絶するなどの特殊な状況が発生されうる。また、加入者端末機の移動方向がハンドオーバー途中で変更されることによって、サービング基地局からターゲット基地局にハンドオーバーの遂行中に更に元のサービング基地局に接続するためにハンドオーバー手順を取り消す状況が発生する可能性もある。
【００８９】
しかしながら、上述した従来の広帯域移動通信システムは、上記したように発生可能な状況に対する解決方法が提示されていない実情である。さらに、従来の方法を上記したような状況に適用する場合に、効率的でなく、システムの性能を大きく悪化させるという短所があった。
【発明の開示】
【発明が解決しようとする課題】
【００９０】
したがって、前述した従来技術の問題点を解決するために、本発明の目的は、広帯域無線通信システムに含まれている加入者端末機の移動性を保障すると同時に、円滑なデータ通信を遂行するハンドオーバー方法を提供することにある。
【００９１】
本発明の他の目的は、加入者端末機機の移動性を保障するために広帯域無線通信システムで基地局間のハンドオーバーを遂行する方法を提供することにある。
【００９２】
また、本発明の目的は、サービング基地局のハンドオーバー要求により加入者端末機からハンドオーバー関連情報を含んだハンドオーバー要求メッセージを受信してデータ通信を遂行しているサービング基地局でハンドオーバーする基地局を決定して加入者端末機に伝送するハンドオーバー方法を提供することにある。
【００９３】
さらに、本発明の目的は、サービング基地局のハンドオーバー要求により加入者端末機がハンドオーバーする基地局にハンドオーバーを遂行する動作をサービング基地局が強制的に指示し、加入者端末機が選択なしに強制的にハンドオーバーを遂行する方法を提供することにある。
【００９４】
本発明の他の目的は、加入者端末機がサービング基地局のハンドオーバー要求により基地局にハンドオーバーする加入者端末機がサービング基地局から受信したハンドオーバー要求メッセージに対してハンドオーバー拒否機能を遂行するための方法を提供することにある。
【課題を解決するための手段】
【００９５】
上記のような目的を達成するために、本発明は、移動端末機と、サービングセル領域で前記移動端末機にサービスを提供するサービング基地局と、前記サービング基地局に隣接する少なくとも一つのターゲット基地局とを含む広帯域無線通信システムで、前記移動端末機が前記サービングセル領域にあるときに前記サービング基地局のハンドオーバー方法であって、前記サービング基地局は前記移動端末機のハンドオーバーの必要性によって前記移動端末機がハンドオーバーすることを決定する段階と、前記ハンドオーバーのためのターゲット基地局のうちのいずれか一つにハンドオーバーすることを指示する段階と、前記サービング基地局が前記指示を受けたターゲット基地局にハンドオーバーすることを移動基地局に指示する強制ハンドオーバー情報が含まれたハンドオーバーメッセージを前記移動端末機に伝送する段階とを含むことを特徴とする。
【００９６】
また、本発明は、移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む無線通信システムで、前記移動端末機が前記サービングセル領域にあるときに前記移動端末機がハンドオーバーを遂行する方法であって、前記サービング基地局からハンドオーバー情報を含むメッセージを受信する段階と、前記移動端末機が前記メッセージに含まれたハンドオーバー情報を確認し、強制ハンドオーバー指示メッセージである場合に、前記移動端末機と前記サービング基地局とのリンクを解除する段階と、前記サービング基地局とのリンクを解除した後に、前記メッセージに含まれた一つのハンドオーバー可能ターゲット基地局にハンドオーバーを遂行する段階とを含むことを特徴とする。
【００９７】
本発明は、移動端末機と、サービングセル領域で前記移動端末機にサービスを提供するサービング基地局と、前記サービング基地局に隣接した少なくとも一つ以上のターゲット基地局とを含む広帯域無線通信システムで、前記移動端末機が前記サービングセル領域にあるときに前記移動端末機のハンドオーバー方法であって、ハンドオーバーの必要性を検出すると、ハンドオーバー要求メッセージを前記サービング基地局に伝送する段階と、前記ターゲット基地局のうちのいずれか一つに、ハンドオーバーの遂行時区間で、前記移動端末機がハンドオーバーの取り消しを決定すると、前記サービング基地局にハンドオーバーの取り消し情報を含むハンドオーバー指示メッセージを伝送する段階とを含むことを特徴とする。
【００９８】
さらに、本発明は、移動端末機と、前記移動端末機にサービスを提供するサービング基地局と、前記サービング基地局により占有されるサービングセル領域と重なる少なくとも一つのターゲットセル領域を有する少なくとも一つのターゲット基地局を含む広帯域無線通信システムで、前記サービング基地局のハンドオーバー方法であって、前記移動端末機からハンドオーバー要求メッセージを受信すると、ターゲット基地局とハンドオーバー進行のためのハンドオーバー手順を進行する段階と、前記ハンドオーバー手順の進行中に、前記移動端末機からハンドオーバー取り消し情報が含まれたハンドオーバーメッセージを受信すると、進行中であるハンドオーバー手順を取り消す段階と、前記進行中であるハンドオーバー手順を取り消した後に、サービング基地局の前記移動端末機とのリンクを継続して維持する段階とを含むことを特徴とする。
【００９９】
また、本発明は、移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機が前記サービングセル領域にあるとき前記移動端末機のハンドオーバー方法であって、ハンドオーバーの必要性を検出すると、前記サービング基地局にハンドオーバー要求メッセージを伝送する段階と、前記サービング基地局から第１のハンドオーバー応答メッセージを受信する段階と、前記第１のハンドオーバー応答メッセージを受信した後に、前記移動端末機はハンドオーバーの拒絶を決定すると、前記サービング基地局にハンドオーバー拒絶情報を含むハンドオーバー指示メッセージを伝送する段階とを含むことを特徴とする。
【０１００】
なお、本発明は、移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記移動端末機が前記サービングセル領域にあるときに前記サービング基地局のハンドオーバー方法であって、前記移動端末機からハンドオーバー要求メッセージを受信すると、ターゲット基地局とハンドオーバーのためのハンドオーバー手順を進行する段階と、ハンドオーバー手順の進行中に、前記移動端末機からハンドオーバー拒絶情報が含まれたハンドオーバーメッセージを受信すると、進行中であるハンドオーバー手順を中止する段階と、前記進行中であるハンドオーバー手順を中止した後に、前記サービング基地局から前記移動端末機に新たなターゲット基地局のリストを含むメッセージを伝送する段階とを含むことを特徴とする。
【０１０１】
本発明は、移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機のハンドオーバー方法であって、前記サービング基地局からハンドオーバー要求メッセージを受信すると、ハンドオーバー手順を進行する段階と、前記移動端末機は、前記ターゲット基地局のうちのいずれか一つにハンドオーバーを遂行する時区間でハンドオーバー取り消しが決定されると、前記サービング基地局にハンドオーバー取り消し情報を含むハンドオーバー指示メッセージを伝送する段階とを含むことを特徴とする。
【０１０２】
他に、本発明は、移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記サービング基地局のハンドオーバー方法であって、前記移動端末機にハンドオーバー要求メッセージを送信し、ターゲット基地局とハンドオーバー進行のためのハンドオーバー手順を遂行する段階と、ハンドオーバー手順の進行中に、前記移動端末機からハンドオーバー取り消し情報が含まれたハンドオーバーメッセージを受信すると、進行中であるハンドオーバー手順を取り消す段階と、前記進行中であるハンドオーバー手順を取り消した後に、前記移動端末機とのリンクを継続して維持する段階とを含むことを特徴とする。
【０１０３】
また、本発明は、移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機が前記サービングセル領域にあるときに前記移動端末機のハンドオーバー方法であって、前記サービング基地局から前記ターゲット基地局のリストを含むハンドオーバー要求メッセージを受信する段階と、前記移動端末機は、前記ターゲット基地局のリストを確認し、以後前記ハンドオーバーの拒絶を決定すると、前記サービング基地局にハンドオーバー拒絶情報を含むハンドオーバー指示メッセージを伝送する段階とを含むことを特徴とする。
【０１０４】
本発明は、移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記移動端末機が前記サービングセル領域にあるときに前記サービング基地局のハンドオーバー方法であって、前記移動端末機に前記ターゲット基地局のリストを含むハンドオーバー要求メッセージを送信し、前記ターゲット基地局とハンドオーバー進行のためのハンドオーバー手順を遂行する段階と、前記移動端末機からハンドオーバー拒絶情報が含まれたハンドオーバーメッセージを受信すると、前記進行中であるハンドオーバー手順を中止する段階と、前記移動端末機に前記ターゲット基地局の新たなリストを含むメッセージを伝送する段階とを含むことを特徴とする。
【発明の効果】
【０１０５】
本発明は、移動加入者端末機の移動性を支援するために、多重セル構造で、従来のハンドオーバー手順に基地局が移動加入者端末機に強制的にハンドオーバーするようにし、或いは、移動加入者端末機が基地局から受信したハンドオーバー要求に対して拒絶する機能を追加する機能を有する。また、本発明は、移動加入者端末機が移動方向がハンドオーバー途中で変更されるため、サービング基地局からターゲット基地局にハンドオーバーの遂行中にもサービング基地局との接続を維持するためにハンドオーバー手順を取り消し、又は拒絶する機能を追加することによって、より現実的かつ効果的なハンドオーバーの遂行が可能である効果がある。
【発明を実施するための最良の形態】
【０１０６】
以下、本発明の望ましい実施形態を添付の図面を参照して詳細に説明する。
下記に、本発明に関連した公知の機能或いは構成に関する説明が本発明の要旨を不明にすると判断された場合に、その詳細な説明を省略する。
【０１０７】
本発明の説明において、用語‘ハンドオーバー’及び‘ハンドオフ（ｈａｎｄｏｆｆ）’は同じ意味で、混用して使用する。すなわち、所定の移動端末機（ＭＳ）が状況により現在接続中である基地局（以下、‘サービング基地局’と称する）との接続を切断し、隣接基地局のうちの一つの基地局（以下、‘ターゲット基地局’と称する）と接続する場合に、ハンドオーバー又はハンドオフという用語を使用する。
【０１０８】
また、一般に、移動端末機が現在接続してデータの送受信が可能な基地局は‘サービング基地局’と呼ばれ、サービング基地局の周辺に位置し、移動端末機の移動によりハンドオーバーが可能な複数の基地局は‘隣接基地局’と呼ばれる。
【０１０９】
一方、図６及び図７に示す従来のハンドオーバー手順で、サービング基地局から移動端末機にＭＯＢ_ＮＢＲ_ＡＤＶメッセージを通じて伝送されるサービング基地局の隣接基地局は上述したように‘隣接基地局’と呼ばれる。このとき、移動端末機が隣接基地局のＣＩＮＲ値をスキャニングし、所定の条件を満たす基地局をハンドオーバー可能な基地局として選択する場合に、移動端末機によって選択されたハンドオーバー可能な基地局は‘推薦基地局（Ｒｅｃｏｍｍｅｎｄｅｄ  ＢＳ）’と呼ばれる。
【０１１０】
また、サービング基地局が移動端末機により選択された推薦基地局又は隣接基地局各々に対してＨＯ_ｎｏｔｉｆｉｃａｔｉｏｎメッセージを伝送し、ＨＯ_ｎｏｔｉｆｉｃａｔｉｏｎ  ｒｅｓｐｏｎｓｅメッセージを受信する。さらに、受信されたメッセージに含まれた値によって移動端末機に対する所定のハンドオーバー可能な条件を満たす一つ又は複数の基地局を選択するようになる。このとき、推薦基地局又は隣接基地局のうち、サービング基地局により所定の条件を満たして選択された一つ又は複数の基地局は、‘ターゲット基地局’と呼ばれる。すなわち、‘ターゲット基地局’は一つ又は複数の基地局となる。
【０１１１】
一方、サービング基地局が該当移動端末機に一つ以上の‘ターゲット基地局’を所定のメッセージ（例えば、ＭＯＢ_ＨＯ_ＲＳＰメッセージ）に含んで伝送し、移動端末機が一つ以上のターゲット基地局の中で一つのターゲット基地局を選択する場合に、最終選択された一つのターゲット基地局は‘指定されたターゲット基地局’と呼ばれる。
【０１１２】
本発明は、従来の広帯域無線移動通信システムで提案した単純な基本ハンドオーバー機能に加えて、状況により效果的に処理できる機能を多様に拡張して提案する。したがって、本発明で提案する状況により追加されたハンドオフの定義は、次のようである。
【０１１３】
（１）強制ハンドオフ（Ｆｏｒｃｅｄ  Ｈａｎｄｏｆｆ）
サービング基地局は、加入者端末機が隣接セルのターゲット基地局にハンドオフすることを強制的に命令することができる。すなわち、強制ハンドオフオプションを含んだメッセージを受信した加入者端末機は、サービング基地局によって指定された時間内に必ずターゲット基地局にハンドオフ手順を遂行しなければならない。強制ハンドオフの場合に、加入者端末機はハンドオフ命令に対して拒否することができない。
【０１１４】
（２）提案ハンドオフ（Ｓｕｇｇｅｓｔｉｎｇ  Ｈａｎｄｏｆｆ）
サービング基地局は、加入者端末機、例えば、移動端末機の要求により、又はサービング基地局の判断により隣接セルの対象基地局のうちの一つの基地局にハンドオフすることを提案するメッセージを含むハンドオフメッセージを加入者端末機に伝送する。ここで、サービング基地局は、隣接セル内の基地局の情報を収集し、その中に加入者端末機がハンドオフできるサービス要求事項を満たし、加入者端末機がハンドオフできるハンドオフ可能な基地局のリストを選択して所定のハンドオフメッセージを通じて加入者端末機に伝送する。一方、加入者端末機が提案ハンドオフメッセージを受信する場合に、加入者端末機は、メッセージに含まれたハンドオフ可能なターゲット基地局のリストを確認して最適の基地局を選択することによってハンドオフを試すことができる。
【０１１５】
上記のように区分されて定義されたハンドオフタイプオプションは、上述したＭＯＢ_ＨＯ_ＲＳＰメッセージの所定のフィールドに追加して伝送される。本発明で、従来技術によるＭＯＢ_ＨＯ_ＲＳＰメッセージの形式にハンドオフタイプオプションを追加し、それによる構造を示すと、下記の＜表１６＞のようである。
【０１１６】
【表１６】
2007535205.tif 000018
【０１１７】
＜表１６＞に示すように、本発明によるＭＯＢ_ＨＯ_ＲＳＰメッセージは、本発明の適用のために‘ＨＯ  Ｔｙｐｅ’フィールドを追加する。したがって、ＭＯＢ_ＨＯ_ＲＳＰメッセージが提案ハンドオフであるか、或いは強制ハンドオフであるかをフィールドの値によって判定する。
【０１１８】
すなわち、＜表１６＞に示すように、‘ＨＯ  Ｔｙｐｅ’フィールドは、０の値を有する場合に、提案ハンドオフが遂行される。‘ＨＯ  Ｔｙｐｅ’フィールドは１の値を有する場合に、強制ハンドオフが遂行される。上記したように、ハンドオフの機能が拡張された後に‘Ｎ_Ｒｅｃｏｍｍｅｎｄｅｄ’フィールドを処理することにおいて、‘ＨＯ  Ｔｙｐｅ’フィールドの値が提案ハンドオフである場合に、Ｎ_Ｒｅｃｏｍｍｅｎｄｅｄフィールドが１の値以上の値を有することができる。‘ＨＯ  Ｔｙｐｅ’フィールドの値が強制ハンドオフである場合に、サービング基地局が特定ターゲット基地局を指定して強制的にハンドオフ遂行を指示する。したがって、Ｎ_Ｒｅｃｏｍｍｅｎｄｅｄフィールドの値は１に固定されることが望ましい。すなわち、強制ハンドオフの場合に、加入者端末機は、選択することなく、Ｎ_Ｒｅｃｏ  ｍｍｅｎｄｅｄフィールドの値によって指定される対象基地局にハンドオフべきである。
【０１１９】
したがって、上記のように動作する場合、Ｎｅｉｇｈｂｏｒ  ＢＳ-ＩＤフィールドに表示される基地局の数は、提案ハンドオフの場合は少なくとも一つ以上の多様な基地局のリストを含むことができ、強制ハンドオフの場合は一つの基地局リスト  のみを含むことが望ましい。
【０１２０】
また、本発明は従来の広帯域無線移動通信システムで提案した基本ハンドオフ手順のうち、端末機から基地局に伝送されるＭＯＢ_ＨＯ_ＩＮＤメッセージを状況により細部的に区分して遂行する方法を提案する。それによる新しく追加された各ハンドオフの定義は、下記のようである。
【０１２１】
（１）接続解除（Ｃｏｎｎｅｃｔｉｏｎ  Ｒｅｌｅａｓｅ）
正常にハンドオフを遂行し、サービング基地局との接続を終了すべき場合に、加入者端末機はサービング基地局に接続終了オプションを含む接続終了（すなわち、ＭＯＢ_ＨＯ_ＩＮＤ）メッセージを伝送する。この接続終了メッセージを受信したサービング基地局は、直ちに該当加入者端末機との接続を解除する。
【０１２２】
（２）ハンドオフ取り消し（Ｈａｎｄｏｆｆ  Ｃａｎｃｅｌ）
加入者端末機が、ハンドオフの遂行途中で再び元のサービング基地局に移動し、ハンドオフ手順がそれ以上不要になる場合又はその他の理由でハンドオフの遂行を取り消すようにする場合、又は、加入者端末機がハンドオフ取り消しオプションを含むＭＯＢ_ＨＯ_ＩＮＤメッセージを基地局に伝送する。ハンドオフ取り消しメッセージを受信したサービング基地局は、すぐ該当加入者端末機に対するハンドオフ手順を取り消し、必要な場合に、提案された対象基地局に該当加入者端末機のハンドオフ遂行の取り消しを通報する。
【０１２３】
（３）ハンドオフ拒絶（Ｈｎａｄｏｆｆ  Ｒｅｊｅｃｔｉｏｎ）
加入者端末機がサービング基地局からＨＯ_ＲＳＰメッセージを受信した後に、適切なターゲット基地局を決定せず、或いは、その他の理由によってターゲット基地局リストに含まれた所定のターゲット基地局にハンドオフ手順を遂行しない場合に、加入者端末機は、受信されたＨＯ_ＲＳＰメッセージによりハンドオフ拒絶オプションを含んだＭＯＢ_ＨＯ_ＩＮＤメッセージをサービング基地局に伝送する。
【０１２４】
本発明において、各状態別にＭＯＢ_ＨＯ_ＩＮＤメッセージの処理が可能にＭＯＢ_ＨＯ_ＩＮＤに‘ＨＯ  Ｉｎｄｉｃａｔｉｏｎ  Ｔｙｐｅ’フィールドを追加する。このＭＯＢ_ＨＯ_ＩＮＤメッセージの構造を示すと、下記の＜表１７＞のようである。
【０１２５】
【表１７】
2007535205.tif 000019
【０１２６】
＜表１７＞のように、ＭＯＢ_ＨＯ_ＩＮＤメッセージに本発明の提案機能を遂行するために、‘ＨＯ  Ｉｎｄｉｃａｔｏｒ  Ｔｙｐｅ’フィールドを追加することによって、拡張されたＭＯＢ_ＨＯ_ＩＮＤメッセージを構成する。この＜表１７＞で、‘ＨＯ  Ｉｎｄｉｃａｔｏｒ  Ｔｙｐｅ’フィールドは、該当値によりＭＯＢ_ＨＯ_ＩＮＤメッセージがサービング基地局に基地局との接続解除或いはハンドオフ拒絶意思を表明することができるように提案する。
【０１２７】
例えば、‘ＨＯ  Ｉｎｄｉｃａｔｏｒ  Ｔｙｐｅ’フィールドは００の値を有する場合に、従来技術と同様にサービング基地局との接続を解除し、受信された該当ターゲット基地局に正常のハンドオフ手順を遂行する。
【０１２８】
一方、‘ＨＯ  Ｉｎｄｉｃａｔｏｒ  Ｔｙｐｅ’フィールドが０１の値を有する場合に、ＭＯＢ_ＨＯ_ＩＮＤメッセージはハンドオフ取り消しを示す。したがって、加入者端末機は進行中であるハンドオフ手順を取り消し、既存のサービング基地局との接続を維持する。また、‘ＨＯ  Ｉｎｄｉｃａｔｏｒ  Ｔｙｐｅ’フィールドが１０の値を有する場合に、ＭＯＢ_ＨＯ_ＩＮＤメッセージはハンドオフ拒絶を示す。したがって、加入者端末機は、サービング基地局から受信されたＭＯＢ_ＨＯ_ＩＮＤメッセージに含まれたターゲット基地局へのハンドオフを拒絶し、既存のサービング基地局との接続を維持する。また、この‘ＨＯ  Ｉｎｄｉｃａｔｏｒ  Ｔｙｐｅ’フィールドが１１の値を有する場合に、‘ＨＯ  Ｉｎｄｉｃａｔｏｒ  Ｔｙｐｅ’フィールドは予備（ｒｅｓｅｒｖｅｄ）領域として残されるようになる。
【０１２９】
さらに、＜表１３＞で定義したＨＯ_ｎｏｔｉｆｉｃａｔｉｏｎ_ｃｏｎｆｉｒｍメッセージは、サービング基地局がターゲット基地局をしてハンドオフすることを知らせるメッセージである。そのため、本発明ではハンドオフ取り消しの場合に、ＨＯ_ｎｏｔｉｆｉｃａｔｉｏｎ_ｃｏｎｆｉｒｍメッセージを予め送り、ハンドオフを準備するように指示したターゲット基地局がハンドオフの取り消しがわかるようにする。このＨＯ_ｎｏｔｉｆｉｃａｔｉｏｎ_ｃｏｎｆｉｒｍメッセージは、下記の＜表１８＞のように変更された構造を有する。
【０１３０】
【表１８】
2007535205.tif 000020
【０１３１】
＜表１８＞に示すように、本発明の提案機能を遂行するために、ＨＯ_ｎｏｔｉｆｉｃａｔｉｏｎ_ｃｏｎｆｉｒｍメッセージにＣｏｎｆｉｒｍ  ｔｙｐｅフィールドを追加することによって、拡張されたＨＯ_ｎｏｔｉｆｉｃａｔｉｏｎ_ｃｏｎｆｉｒｍメッセージを構成する。＜表１８＞で、Ｃｏｎｆｉｒｍ  ｔｙｐｅフィールドは、該当値によってＨＯ_ｎｏｔｉｆｉｃａｔｉｏｎ_ｃｏｎｆｉｒｍメッセージによってサービング基地局がターゲット基地局をしてハンドオフを確認或いはハンドオフの取り消しを知らせることを可能にする。
【０１３２】
例えば、Ｃｏｎｆｉｒｍ  ｔｙｐｅフィールドが‘０’の値を有する場合は、従来技術と同一にターゲット基地局が加入者端末機のハンドオフを知らせるようにし、それを準備するように伝達する機能を遂行する。
【０１３３】
一方、Ｃｏｎｆｉｒｍ  ｔｙｐｅフィールドが‘１’の値を有する場合に、ＨＯ_ｎｏｔｉｆｉｃａｔｉｏｎ_ｃｏｎｆｉｒｍメッセージはハンドオフの取り消しを示す。したがって、ターゲット基地局は、以前に送ったＨＯ_ｎｏｔｉｆｉｃａｔｉｏｎ_ｃｏｎｆｉｒｍメッセージによって遂行中であるハンドオフ手順を取り消すようにする。
【０１３４】
上記のように、本発明で、多様なハンドオーバー状況によるハンドオーバーの実現のために関連した各種メッセージのフィールドを定義した。以下、本発明により、加入者端末機が各状況に従って遂行中であるハンドオーバーの拒絶及び取り消しを遂行する手順を図８〜図１２を参照して詳細に説明する。
【０１３５】
まず、図８〜図１０を参照して、本発明の実施形態による加入者端末機と基地局との間のメッセージ送受信手順を詳細に説明する。
【０１３６】
図８は、本発明の実施形態により、基地局が加入者端末機のハンドオフ可否を決定して該当端末機のハンドオフを強制する場合の実施形態を示す。図９は、本発明の実施形態により、加入者端末機がサービング基地局にハンドオフを要求した後に、サービング基地局から応答メッセージを受信する以前、或いは応答メッセージを受信した以後に要求したハンドオフを取り消す場合の実施形態を示す。また、図１０は、本発明の実施形態により加入者端末機がサービング基地局にハンドオフを要求して応答メッセージまで受信した後に、この加入者端末機が受信した応答メッセージに含まれたターゲット基地局リストが適切でなく、受信された応答メッセージの情報を用いるハンドオフを拒絶する場合の実施形態を示す。
【０１３７】
一方、実施形態を実現するための各手順に使用されるメッセージは、従来のハンドオーバーの遂行時に使用されるメッセージである。しかしながら、本発明は、各メッセージに本発明によって提案される＜表１６＞及び＜表１７＞で上述したパラメーターを追加することによって実現される。
【０１３８】
まず、図８を参照して、基地局がハンドオーバーを強制する場合の例を説明する。図８は、本発明の実施形態による広帯域無線接続通信システムで、基地局がハンドオーバーを強制する手順を示すフローチャートである。
【０１３９】
図８を参照すると、図７に上述したように、基地局が移動加入者端末機に対するハンドオーバーを決定する。したがって、図８のステップ８１１，８１３，８１５，８１７，８１９,８２１，８２３，８２５，８２７，８２９の手順は、上記した図７のステップ７１１，７１３，７１５，７１７,７１９，７２１，７２３，７２５，７２７，７２９の手順と同一なため、ここではその過程を省略する。
【０１４０】
一方、サービング基地局８４０は、複数のハンドオーバー可能なターゲット基地局を通じて対象基地局を決定し、ステップ８２９を通じて対象基地局にＨＯ_ｎｏｔｉｆｉｃａｔｉｏｎ_ｃｏｎｆｉｒｍメッセージを伝送した後に、決定されたハンドオーバー可能なターゲット基地局のリストを該当移動加入者端末機にＭＯＢ_ＨＯ_ＲＳＰメッセージを通じて伝送する。
【０１４１】
一方、上記した手順に続けて本発明では、下記の過程を遂行するようになる。すなわち、ＭＯＢ_ＨＯ_ＲＳＰメッセージの伝送において、ＭＯＢ_ＨＯ_ＲＳＰメッセージが強制ハンドオーバーのメッセージとの情報を含んで伝送すると（ステップ８３１）、例えば、強制ハンドオーバーを知らせるＨＯ  ｔｙｐｅ＝１の情報を含むＭＯＢ_ＨＯ_ＲＳＰメッセージを伝送し、すると、ＭＯＢ_ＨＯ_ＲＳＰメッセージを受信した移動加入者端末機８００は強制ハンドオーバー指示に対して拒絶しないようになる。したがって、移動加入者端末機８００は、強制ハンドオーバーの情報（ＨＯ  ｔｙｐｅ＝１）を含んだＭＯＢ_ＨＯ_ＲＳＰメッセージを受信した後に、ＭＯＢ_ＨＯ_ＲＳＰメッセージに含まれたハンドオーバー対象基地局にハンドオーバーすべきである。すなわち、移動加入者端末機８００は、サービング基地局８４０にＭＯＢ_ＨＯ_ＩＮＤメッセージを伝送した（ステップ８３３）後に、サービング基地局８４０とのリンクを解除し（ステップ８３５）、該当ハンドオーバー対象基地局と接続を開始する（ステップ８３７）。
【０１４２】
一方、ＭＯＢ_ＨＯ_ＲＳＰメッセージが強制ハンドオーバーメッセージであることを示すために、ＭＯＢ_ＨＯ_ＲＳＰメッセージを構成するときに、ＨＯ  ｔｙｐｅフィールドを追加することによって、＜表１６＞のように構成してこのＭＯＢ_ＨＯ_ＲＳＰメッセージを伝送する。
【０１４３】
例えば、上述したようにＨＯ  ｔｙｐｅフィールドが１の値を有する場合に、移動加入者端末機が受信するＭＯＢ_ＨＯ_ＲＳＰメッセージは強制ハンドオーバーメッセージであることを把握し、以後に決定されたハンドオーバーに対して拒絶しない。すなわち、移動加入者端末機は、ＭＯＢ_ＨＯ_ＲＳＰメッセージを受信し、ＭＯＢ_ＨＯ_ＲＳＰメッセージに含まれたハンドオーバー対象基地局のうちの選択された一つの基地局にハンドオーバー手順を遂行すべきである。もし、ＭＯＢ_ＨＯ_ＲＳＰメッセージに含まれたハンドオーバー対象基地局が一つである場合に、移動加入者端末機８００は無条件にハンドオーバー対象基地局にハンドオーバーするようになる。
【０１４４】
一方、移動加入者端末機は、サービング基地局にＭＯＢ_ＨＯ_ＩＮＤメッセージを伝送するときに、本発明により＜表１７＞に上述したようにＭＯＢ_ＨＯ_ＲＳＰメッセージを構成して伝送することが可能である。すなわち、移動加入者端末機は、ＭＯＢ_ＨＯ_ＩＮＤメッセージのタイプを選択して伝送可能である。ここで、ＭＯＢ_ＨＯ_ＩＮＤメッセージは、移動加入者端末機がハンドオーバーの拒絶又は取り消しを遂行できない状況で伝送するメッセージであるため、＜表１７＞に示した‘ＨＯ  Ｉｎｄｉｃａｔｏｒ  Ｔｙｐｅ’フィールドの値を００に設定して伝送することが望ましい。‘ＨＯ  Ｉｎｄｉｃａｔｏｒ  Ｔｙｐｅ’フィールドの値を００に設定する場合は、移動加入者端末機はサービング基地局とのリンクを解除（ｒｅｌｅａｓｅ）し、正常なハンドオーバー手順を遂行する場合である。
【０１４５】
以下、図９及び図１０を参照して、ハンドオーバーの遂行中に移動加入者端末機がハンドオーバーの取り消し又は拒絶を遂行する場合の例を説明する。
【０１４６】
ここで、ハンドオーバーの取り消しは、ハンドオーバーの進行においてサービング基地局がターゲット基地局を選定して移動加入者端末機にＭＯＢ_ＨＯ_ＲＳＰメッセージを伝送する前に、すなわち、移動加入者端末機がターゲット基地局のリストが含まれたハンドオーバー応答メッセージを受信する前に移動加入者端末機が任意にハンドオーバー手順を中止する場合を意味する。また、ハンドオーバーの拒絶は、ハンドオーバーの進行においてサービング基地局がターゲット基地局を選定して移動加入者端末機にＭＯＢ_ＨＯ_ＲＳＰメッセージを伝送した後、すなわち、移動加入者端末機がターゲット基地局のリストが含まれたハンドオーバー応答メッセージを受信した後に、任意に決定されたハンドオーバー手順を中止する場合を意味する。
【０１４７】
まず、図９を参照して、移動加入者端末機が遂行中であるハンドオーバーを取り消す場合を説明し、以後に図１０を参照して移動加入者端末機が決定されたハンドオーバーを拒絶する場合を説明する。
【０１４８】
図９は、本発明の実施形態による広帯域無線接続通信システムで、端末機がハンドオーバーを取り消す手順を示すフローチャートである。
【０１４９】
図９を参照すると、移動加入者端末機９００がサービング基地局９４０から隣接基地局情報を受信し（ステップ９１１）、スキャニング可否を判定する（ステップ９１３，９１５）。その後、移動加入者端末機９００は、隣接基地局のＣＩＮＲをスキャニングし（ステップ９１７）、サービング基地局９４０の変更を決定し（ステップ９１９）、サービング基地局９４０にＭＯＢ_ＨＯ_ＲＥＱメッセージを伝送する（ステップ９２１）。このとき、サービング基地局９４０は、受信されたＭＯＢ_ＨＯ_ＲＥＱメッセージを参照し（ステップ９２３）、該当推薦基地局にＨＯ_ｎｏｔｉｆｉｃａｔｉｏｎメッセージを伝送し（ステップ９２５，９２７）、それによってハンドオーバー手順が遂行される。すると、ステップ９２５で、ＨＯ_ｎｏｔｉｆｉｃａｔｉｏｎメッセージを受信した推薦基地局の中に、ハンドオフ可能可否に対する情報を含むＨＯ_ｎｏｔｉｆｉｃａｔｉｏｎ-ｒｅｓｐｏｎｓｅメッセージをサービング基地局に伝送する（ステップ９２８）。一方、ＨＯ_ｎｏｔｉｆｉｃａｔｉｏｎ-ｒｅｓｐｏｎｓｅメッセージを受信したサービング基地局９４０は、応答メッセージを送った推薦基地局のうちのハンドオーバーする基地局を決定して該当基地局にＨＯ_ｎｏｔｉｆｉｃａｔｉｏｎ_ｃｏｎｆｉｒｍメッセージを送信し（ステップ９３１，９３３）、該当基地局が移動加入者端末機９００が決定された基地局を通じてハンドオーバー可能に準備する。
【０１５０】
一方、上記の通りにハンドオーバー手順の進行中に、移動加入者端末機９００がハンドオーバー取り消しを遂行しようとする場合に、移動加入者端末機９００はハンドオーバー取り消しを決定する（ステップ９２９）。移動加入者端末機９００は、ＭＯＢ_ＨＯ_ＩＮＤメッセージに取り消し決定情報を含み（すなわち、ＨＯ  Ｉｎｄｉｃａｔｏｒ  Ｔｙｐｅの値を０１に設定する）、サービング基地局９４０に伝送する（ステップ９３２）ことで、遂行中であるハンドオーバー手順を取り消すようになる（ステップ９３４）。
ここで、ＭＯＢ_ＨＯ_ＩＮＤメッセージに取り消し決定情報を含む方法は、＜表１７＞に示したように、‘ＨＯ  Ｉｎｄｉｃａｔｏｒ  Ｔｙｐｅ’フィールドを追加することによって実現可能である。すなわち、移動加入者端末機９００から伝送されるＭＯＢ_ＨＯ_ＩＮＤメッセージを受信した（ステップ９３２）サービング基地局９４０は、メッセージに追加された‘ＨＯ  Ｉｎｄｉｃａｔｏｒ  Ｔｙｐｅ’フィールドの情報を確認してＭＯＢ_ＨＯ_ＩＮＤメッセージがハンドオーバー取り消しを通報するメッセージであることを確認するようになる。
【０１５１】
例えば、‘ＨＯ  Ｉｎｄｉｃａｔｏｒ  Ｔｙｐｅ’フィールドは、２個のビットで構成可能で、上述したように０１で表示することによって、ＭＯＢ_ＨＯ_ＩＮＤメッセージが取り消しメッセージであることを示す。ハンドオーバー取り消しメッセージ情報が含まれたＭＯＢ_ＨＯ_ＩＮＤメッセージを受信したサービング基地局９４０は、遂行中であるハンドオーバー手順を中止し、移動加入者端末機９００とのリンクを続けて維持する（ステップ９３４）。
【０１５２】
この場合に、ハンドオーバーの取り消しを知らせるＭＯＢ_ＨＯ_ＩＮＤメッセージがサービング基地局９４０からターゲット基地局にＨＯ_ｎｏｔｉｆｉｃａｔｉｏｎ_ｃｏｎｆｉｒｍメッセージが伝送された以後に受信された場合（ステップ９３１）と、ＨＯ_ｎｏｔｉｆｉｃａｔｉｏｎ_ｃｏｎｆｉｒｍメッセージ以前に受信する場合（ステップ９３３）により手順が分類される。
【０１５３】
すなわち、サービング基地局９４０がターゲット基地局にＨＯ_ｎｏｔｉｆｉｃａｔｉｏｎメッセージを送信し（ステップ９２７）、その後に、ターゲット基地局からＨＯ_ｎｏｔｉｆｉｃａｔｉｏｎ_ｒｅｓｐｏｎｓｅメッセージを受信すると（ステップ９２８）、移動加入者端末機９００は実際のハンドオーバーが可能なターゲット基地局を選択する。このとき、サービング基地局９４０は、実際のハンドオーバーを実施するターゲット基地局を決定すると、選択した該当ターゲット基地局にＨＯ_ｎｏｔｉｆｉｃａｔｉｏｎ_ｃｏｎｆｉｒｍメッセージを伝送し（ステップ９３１）、それによって該当ターゲット基地局が移動加入者端末機９００がハンドオーバー可能に準備させる。
【０１５４】
しかしながら、サービング基地局９４０からＨＯ_ｎｏｔｉｆｉｃａｔｉｏｎ_ｃｏｎｆｉｒｍメッセージがターゲット基地局に伝送される以前（ステップ９３３）にハンドオーバーの取り消しを知らせるために、移動加入者端末機９００からＭＯＢ_ＨＯ_ＩＮＤメッセージが伝送される場合には、サービング基地局９４０は上記とは異なる動作を遂行するようになる。以下に、この動作についてより具体的に説明する。
【０１５５】
すなわち、ＭＯＢ_ＨＯ_ＩＮＤメッセージがサービング基地局９４０がターゲット基地局にＨＯ_ｎｏｔｉｆｉｃａｔｉｏｎ_ｃｏｎｆｉｒｍメッセージを伝送する以前に（ステップ９３３）、サービング基地局９４０に到着する場合に（ステップ９３２）、サービング基地局９４０はすべてのハンドオーバー手順を取り消し（ステップ９３４）、ハンドオーバーが終了される。
【０１５６】
しかしながら、ＭＯＢ_ＨＯ_ＩＮＤメッセージがＨＯ_ｎｏｔｉｆｉｃａｔｉｏｎ_ｃｏｎｆｉｒｍメッセージの伝送（ステップ９３１）以後に、サービング基地局９４０に伝送された場合に（ステップ９３２）には既にサービング基地局９４０がターゲット基地局にＨＯ_ｎｏｔｉｆｉｃａｔｉｏｎ_ｃｏｎｆｉｒｍメッセージを伝送して（ステップ９３１）ハンドオーバーすることを知らせる場合である。したがって、このサービング基地局９４０は、移動加入者端末機９００からＭＯＢ_ＨＯ_ＩＮＤメッセージを受信し、直ちに該当ターゲット基地局に再びメッセージを伝送してハンドオーバーが取り消されることを知らせるべきである。
【０１５７】
このとき、サービング基地局９４０からターゲット基地局に伝送されるＨＯ_ｎｏｔｉｆｉｃａｔｉｏｎ_ｃｏｎｆｉｒｍメッセージは、上記のように正常なハンドオーバーの進行を知らせる場合とハンドオーバーの取り消しを知らせる場合共に用いられるため、これを上記した＜表１８＞のように‘Ｃｏｎｆｉｒｍ  ｔｙｐｅ’フィールドによって区分される。ここで、‘Ｃｏｎｆｉｒｍ  ｔｙｐｅ’フィールドの長さは１ビットを有する。したがって、‘Ｃｏｎｆｉｒｍ  ｔｙｐｅ’フィールドは０の値を有する場合に、ＨＯ_ｎｏｔｉｆｉｃａｔｉｏｎ_ｃｏｎｆｉｒｍメッセージが正常にハンドオーバーが遂行されることを知らせる。一方、‘Ｃｏｎｆｉｒｍ  ｔｙｐｅ’フィールドが１の値を有する場合には、ＨＯ_ｎｏｔｉｆｉｃａｔｉｏｎ_ｃｏｎｆｉｒｍメッセージがハンドオーバーの取り消しを知らせるのに用いられる。
【０１５８】
一方、ハンドオーバー状況が発生する場合に、上述したように移動加入者端末機９００が、サービング基地局９４０から遠くなり、隣接基地局のうちの一つの基地局と近くなることによって、ハンドオーバーの手順が遂行されるが、ハンドオーバーの手順が遂行される中に移動加入者端末機９００がさらにサービング基地局９４０と近くなり、それによって、更にサービング基地局９４０にハンドオーバーすべき状況が発生する場合である。
【０１５９】
したがって、従来技術によると、上記のような場合に隣接基地局にハンドオーバーを完了した後に元のサービング基地局に再びハンドオーバーを遂行しなければならない。特殊の場合に、上記のようなハンドオーバーを継続して反復しなければならない場合が発生可能である。また、上記のように本発明によると、不必要なハンドオーバーを反復しなくてサービング基地局との接続を続けて維持することができるようになる。
【０１６０】
以下、図１０を参照して端末機が決定されたハンドオーバーを拒絶する場合を説明する。
図１０は、本発明の実施形態による広帯域無線接続通信システムで、移動加入者端末機がハンドオーバーの拒絶を遂行する手順を示すフローチャートである。
【０１６１】
図１０を参照すると、移動加入者端末機１０００がサービング基地局１０４０から隣接基地局情報を受信し（ステップ１０１１）、スキャニング可否を判定する（ステップ１０１３，１０１５）。その次に、移動加入者端末機１０００は、隣接基地局のＣＩＮＲをスキャニングして（ステップ１０１７）サービング基地局１０４０の変更を決定し（ステップ１０１９）、サービング基地局１０４０にＭＯＢ_ＨＯ_ＲＥＱメッセージを伝送する（ステップ１０２１）。その後、サービング基地局１０４０は、受信されたＭＯＢ_ＨＯ_ＲＥＱメッセージを参照して（ステップ１０２３）該当推薦基地局にＨＯ_ｎｏｔｉｆｉｃａｔｉｏｎメッセージを伝送する（ステップ１０２５，１０２７）。一方、サービング基地局１０４０は、推薦基地局からＨＯ_ｎｏｔｉｆｉｃａｔｉｏｎ  ｒｅｓｐｏｎｓｅメッセージを受信し、そのメッセージの受信結果によりターゲット基地局を選択し、ＭＯＢ_ＨＯ_ＲＳＰメッセージを移動加入者端末機１０００に伝送する（ステップ１０３５）ことによって、ハンドオーバーが決定される。
【０１６２】
すなわち、図１０のステップ１０１１,１０１３,１０１５,１０１７,１０１９,１０２１，１０２３，１０２５，１０２７，１０２９，１０３１，１０３３は、図６に示したステップ６１１，６１３，６１５，６１７，６１９,６２１，６２３，６２５，６２７，６２９，６３１，６３３と同一の手順を遂行する。
【０１６３】
一方、上記のようにハンドオーバーが可能なターゲット基地局が決定されてサービング基地局１０４０からＭＯＢ_ＨＯ_ＲＳＰメッセージを受信した後に、移動加入者端末機１０００が決定されたハンドオーバーを拒絶しようとする場合に、移動加入者端末機１０００はハンドオーバーの拒絶を決定し（ステップ１０３７）、ＭＯＢ_ＨＯ_ＩＮＤメッセージに拒絶決定情報を含んでサービング基地局１０４０に伝送する（ステップ１０３９）ことによって、ハンドオーバーの決定に対して拒絶するようになる。
【０１６４】
このとき、ＭＯＢ_ＨＯ_ＩＮＤメッセージに拒絶決定情報を含む方法は、上記の＜表１７＞に上述したように、‘ＨＯ  Ｉｎｄｉｃａｔｏｒ  Ｔｙｐｅ’フィールドを追加することで実現可能である。すなわち、ＭＯＢ_ＨＯ_ＩＮＤメッセージを受信したサービング基地局１０４０は、追加された‘ＨＯ  Ｉｎｄｉｃａｔｏｒ  Ｔｙｐｅ’フィールドの情報を確認し、ＭＯＢ_ＨＯ_ＩＮＤメッセージがハンドオーバー拒絶を通報するメッセージであることを確認する。
【０１６５】
例えば、‘ＨＯ  Ｉｎｄｉｃａｔｏｒ  Ｔｙｐｅ’フィールドは２個のビットで構成可能で、上述したようにＨＯ  Ｉｎｄｉｃａｔｏｒ  Ｔｙｐｅの値を１０に表示することによって、ＭＯＢ_ＨＯ_ＩＮＤメッセージが拒絶メッセージであることを示す。すると、ハンドオーバーの拒絶メッセージ情報が含まれたＭＯＢ_ＨＯ_ＩＮＤメッセージを受信したサービング基地局１０４０は、決定されたハンドオーバー手順を中止し、移動加入者端末機１０００とのリンクを継続して維持する（ステップ１０４１）。このとき、サービング基地局１０４０は、ターゲット基地局を選定してターゲット基地局に既にＨＯ_ｎｏｔｉｆｉｃａｔｉｏｎ  ｃｏｎｆｉｒｍメッセージを伝送したため、ターゲット基地局は移動加入者端末機１０００がハンドオーバーすることと判断する。したがって、サービング基地局１０４０は、ターゲット基地局にハンドオーバーが中止されたことを通報することが望ましい。
【０１６６】
一方、ハンドオーバー拒絶状況が発生する場合に、上述したように移動加入者端末機１０００がサービング基地局１０４０からＨＯ_ＲＳＰメッセージを受信したが、メッセージに含まれたターゲット基地局から所定の条件を満たす基地局がないことによって適切なターゲット基地局を選択しない場合に発生可能である。すなわち、移動加入者端末機１０００は、サービング基地局１０４０から受信したターゲット基地局のうちいずれの基地局にもハンドオーバーができないため、上記のようなハンドオーバー拒絶を遂行することが望ましい。
【０１６７】
上記では、本発明により各状況で遂行されるハンドオーバーの強制、取り消し及び拒絶の手順を遂行することにおいて、端末機と基地局との間に送受信されるメッセージの伝送手順を説明した。以下、図１１〜図１４を参照して、本発明の実施形態により、端末機が遂行する手順を詳細に説明する。
【０１６８】
＜１．基地局の強制ハンドオーバー＞
図１１は、本発明の第１の実施形態による広帯域無線接続通信システムで、基地局がハンドオーバーを強制する手順を示すフローチャートである。
【０１６９】
図１１を参照すると、上述したように、移動加入者端末機は、ハンドオーバー手順の遂行中にサービング基地局からＭＯＢ_ＨＯ_ＲＳＰメッセージを受信する（ステップ１１００）。このとき、ＭＯＢ_ＨＯ_ＲＳＰメッセージにはサービング基地局によって選択されたターゲット基地局のリストが含まれている。したがって、移動加入者端末機は、ＭＯＢ_ＨＯ_ＲＳＰメッセージを通じてターゲット基地局のリストを確認し、一つの基地局を選定されたターゲット基地局に決定する（ステップ１１０３）。
【０１７０】
一方、本発明により図８に示したように、ＭＯＢ_ＨＯ_ＲＳＰメッセージのＨＯＴｙｐフィールドが１の値に設定されると（ステップ１１０５）、ＭＯＢ_ＨＯ_ＲＳＰメッセージは、移動加入者端末機がターゲット基地局にハンドオーバーを必ず遂行するようにサービング基地局が強制するメッセージとなる。したがって、移動加入者端末機は、決定されたハンドオーバー手順に対して拒絶しなく、ＭＯＢ_ＨＯ_ＩＮＤメッセージを伝送する（ステップ１１０９）。移動加入者端末機は、サービング基地局との接続を解除する（ステップ１１１１）ようになる。
【０１７１】
その反面、‘ＨＯ  Ｔｙｐｅ’フィールドの値が０に設定されていると、ＭＯＢ_ＨＯ_ＲＳＰメッセージは、強制ハンドオーバーを示すメッセージでないため、移動加入者端末機の判断に従ってハンドオーバーを拒絶することが可能である。したがって、移動加入者端末機が受信されたターゲット基地局にハンドオーバーを遂行せずに拒絶する（ステップ１１１３）場合に、上述したようにＭＯＢ_ＨＯ_ＩＮＤメッセージを構成する‘ＨＯ  Ｉｎｄｉｃａｔｏｒ  Ｔｙｐｅ’を１０に設定して伝送する（ステップ１１１５）。そうでない一般的な場合として移動加入者端末機が受信されたターゲット基地局に正常なハンドオーバーを遂行しようとする場合には、‘ＨＯ  Ｉｎｄｉｃａｔｏｒ  Ｔｙｐｅ’を００に設定してＭＯＢ_ＨＯ_ＩＮＤメッセージをサービング基地局に伝送し（ステップ１１０９）、サービング基地局との接続を解除する（ステップ１１１１）。
【０１７２】
以下、図１２〜図１４を参照して、ハンドオーバーの遂行中に移動加入者端末機が所定の条件によりハンドオーバーの取り消し又は拒絶を遂行する手順を実施形態で詳細に説明する。
【０１７３】
＜２．しきい値によるハンドオーバー取り消し及び拒絶＞
図１２は、本発明の第２の実施形態による広帯域無線接続通信システムで、移動加入者端末機がハンドオーバーの取り消し又は拒絶を遂行する手順を示すフローチャートである。
【０１７４】
図１２を参照すると、移動加入者端末機は、サービング基地局のＣＩＮＲを所定の第１のしきい値と比較してハンドオーバー遂行可否を決定する。ハンドオーバーの遂行中に、移動加入者端末機は、第１のしきい値と他の所定の第２のしきい値を用いてハンドオーバーの取り消しを決定する。
【０１７５】
まず、移動加入者端末機はサービング基地局のＣＩＮＲをスキャニングする（ステップ１２００）。その結果、サービング基地局のＣＩＮＲが所定の第１のしきい値より低い場合に、サービング基地局とのデータ送受信が難しいと判断するようになって隣接基地局のＣＩＮＲを測定する（ステップ１２１１）。すなわち、移動加入者端末機は、隣接基地局をスキャニングするために、サービング基地局にＭＯＢ_ＳＣＮ_ＲＥＱメッセージを伝送すると（ステップ１２０７）、移動加入者端末機はサービング基地局からＭＯＢ_ＳＣＮ_ＲＳＰメッセージを受信する（ステップ１２０９）。
【０１７６】
ＭＯＢ_ＳＣＮ_ＲＳＰメッセージを受信した（ステップ１２０９）移動加入者端末機は、隣接基地局のＣＩＮＲを測定する（ステップ１２１１）ようになる。その測定結果、サービング基地局のＣＩＮＲが所定の第２のしきい値より小さく、サービング基地局のＣＩＮＲが隣接基地局のうちの一つの基地局のＣＩＮＲより小さくなる場合に（ステップ１２１３）、移動加入者端末機はハンドオフを決定してサービング基地局にＭＯＢ_ＨＯ_ＲＥＱメッセージを伝送する（ステップ１２１５）。一方、上記の条件を満足しない場合に、移動加入者端末機はステップ１２００に戻って上記の手順を反復遂行する。
【０１７７】
一方、本発明によりサービング基地局にＭＯＢ_ＨＯ_ＲＥＱメッセージが伝送されて（ステップ１２１５）ハンドオーバー手順が進行中に、移動加入者端末機は、継続してサービング基地局のＣＩＮＲを測定する。このとき、サービング基地局のＣＩＮＲを第１のしきい値と比較して相変らず小さい場合に、ハンドオーバー手順が正常に遂行されるが、移動加入者端末機の移動などによってサービング基地局のＣＩＮＲが高くなって第１のしきい値より高い場合に（ステップ１２１７）、上記の進行中であるハンドオーバー手順の取り消しを遂行する（ステップ１２１９）。したがって、移動加入者端末機が上記のようにハンドオーバー手順の取り消しを遂行することに決定すると、移動加入者端末機はＭＯＢ_ＨＯ_ＩＮＤメッセージにハンドオーバー取り消し情報を含んで（すなわち、ＨＯ  Ｉｎｄｉｃａｔｏｒ  Ｔｙｐｅを０１に設定）サービング基地局に伝送する（ステップ１２２１）。すると、ＭＯＢ_ＨＯ_ＩＮＤメッセージを受信したサービング基地局は、ハンドオーバー手順を取り消し、移動加入者端末機との接続を継続して維持する。
【０１７８】
一方、上述したようにハンドオーバー手順の進行中にサービング基地局のＣＩＮＲが相変らず第１のしきい値より低い場合に、サービング基地局は正常にハンドオーバー手順を遂行してＭＯＢ_ＨＯ_ＲＳＰメッセージを移動加入者端末機に伝送する。次いに、サービング基地局からＭＯＢ_ＨＯ_ＲＳＰメッセージを受信した（ステップ１２２３）移動加入者端末機は、ＭＯＢ_ＨＯ_ＲＳＰメッセージに含まれたターゲット基地局のリストを確認し、所定の条件により一つのターゲット基地局を選択されたターゲット基地局に決定する（ステップ１２２５）。
【０１７９】
このとき、ＭＯＢ_ＨＯ_ＲＳＰメッセージが強制ハンドオーバーメッセージである場合、すなわち、ＭＯＢ_ＨＯ_ＲＳＰメッセージに含まれたＨＯ  Ｔｙｐｅフィールドが１の値に設定された場合に、図１１に示した手順に従って遂行される。言い換えれば、ＭＯＢ_ＨＯ_ＩＮＤメッセージを伝送し（ステップ１２３７）、サービング基地局との接続を解除し（ステップ１２３９）、サービング基地局が伝送したターゲット基地局のリストのうちの一つの基地局にハンドオーバーを遂行する。
【０１８０】
一方、ＭＯＢ_ＨＯ_ＲＳＰメッセージが強制ハンドオーバーメッセージでない場合、すなわち、ＭＯＢ_ＨＯ_ＲＳＰメッセージに含まれたＨＯ  Ｔｙｐｅフィールドが０に設定された場合にも、本発明の第２の実施形態によりサービング基地局のＣＩＮＲ値を継続して測定することが可能である。すなわち、上述したようにサービング基地局のＣＩＮＲ値が第１のしきい値より高い場合（ステップ１２２９）、ハンドオーバーの取り消しを遂行可能である（ステップ１２１９）。そうでない場合に、正常にハンドオーバーを遂行することができる。その反面、サービング基地局のＣＩＮＲ値が第１のしきい値より低い場合に、ターゲット基地局への正常なハンドオーバーを進行するか拒絶するかを判定した（ステップ１２３１）後に、ハンドオーバーを拒絶し（ステップ１２３３）、或いはハンドオーバーを遂行する（ステップ１２３７，１２３９）。
【０１８１】
＜３．ＣＩＮＲ比較によるハンドオーバー取り消し及び拒絶＞
図１３は、本発明の第３の実施形態による広帯域無線接続通信システムで、移動加入者端末機がハンドオーバーの取り消し又は拒絶を遂行する手順を示すフローチャートである。
【０１８２】
図１３に示す本発明の第３の実施形態は、図１２の第２の実施形態と同一の手順を遂行するが、但し、ハンドオーバーの決定及びハンドオーバーの取り消しの決定を遂行する基準値に差がある。
【０１８３】
図１３を参照すると、移動加入者端末機はサービング基地局のＣＩＮＲを所定の第１のしきい値と比較してハンドオーバー手順を遂行するか否かを決定する。なお、ハンドオーバーの遂行中に第１のしきい値と他の所定の第２のしきい値によってハンドオーバー又はハンドオーバーの取り消しを決定する。
【０１８４】
まず、移動加入者端末機は、サービング基地局のＣＩＮＲをスキャニングする（ステップ１３００）。その結果、サービング基地局のＣＩＮＲが所定のしきい値より低い場合に、移動加入者端末機は、サービング基地局とのデータ送受信が難しいと判断し、隣接基地局等のＣＩＮＲを測定する（ステップ１３１１）。すなわち、移動加入者端末機は、隣接基地局をスキャニングするために、サービング基地局にＭＯＢ_ＳＣＮ_ＲＥＱメッセージを伝送し（ステップ１３０７）、サービング基地局からＭＯＢ_ＳＣＮ_ＲＳＰメッセージを受信する（ステップ１３０９）。
【０１８５】
一方、ＭＯＢ_ＳＣＮ_ＲＳＰメッセージが受信された移動加入者端末機は、隣接基地局のＣＩＮＲを測定する（ステップ１３１０）。その測定結果、サービング基地局のＣＩＮＲが隣接基地局のうちの一つの基地局のＣＩＮＲより低い場合に（ステップ１３１１）、移動加入者端末機は、ハンドオフを決定してサービング基地局にＭＯＢ_ＨＯ_ＲＥＱメッセージを伝送する（ステップ１３１２）。その反面、このような条件が満足しない場合に、移動加入者端末機はステップ１３００に戻って、上記の手順を反復遂行する。
【０１８６】
一方、本発明によってサービング基地局にＭＯＢ_ＨＯ_ＲＥＱメッセージが伝送されてハンドオーバー手順を遂行する中に、移動加入者端末機は継続してサービング基地局のＣＩＮＲを測定し、サービング基地局のＣＩＮＲを隣接基地局のＣＩＮＲ値と比較する。その結果、サービング基地局のＣＩＮＲが隣接基地局のＣＩＮＲより低い場合に、そのハンドオーバー手順が正常に遂行される。その反面、移動加入者端末機の移動によって、サービング基地局のＣＩＮＲが隣接基地局のＣＩＮＲより高い場合に（ステップ１３１３）、移動加入者端末機は進行中であるハンドオーバー手順を取り消す（ステップ１３１５）。したがって、移動加入者端末機が上記のようにハンドオーバー手順を取り消すことに決定すると、移動加入者端末機は、ハンドオーバー取り消し情報を含むＭＯＢ_ＨＯ_ＩＮＤメッセージ（すなわち、‘ＨＯ  Ｉｎｄｉｃａｔｏｒ  Ｔｙｐｅ’フィールドの値は０１に設定する）をサービング基地局に伝送する（ステップ１３１７）。すると、ＭＯＢ_ＨＯ_ＩＮＤメッセージを受信したサービング基地局は、ハンドオーバー手順を取り消し、移動加入者端末機との接続を継続して維持する。
【０１８７】
一方、ハンドオーバーの遂行中にサービング基地局のＣＩＮＲが隣接基地局のＣＩＮＲより低い場合に、サービング基地局は正常にハンドオーバー手順を遂行し、ＭＯＢ_ＨＯ_ＲＳＰメッセージを移動加入者端末機に伝送する。次に、サービング基地局からＭＯＢ_ＨＯ_ＲＳＰメッセージを受信された移動加入者端末機は、ＭＯＢ_ＨＯ_ＲＳＰメッセージに含まれたターゲット基地局のリストを確認し（ステップ１３１９）、所定の条件により一つのターゲット基地局を指定されたターゲット基地局に決定する（ステップ１３２１）。
【０１８８】
ここで、ＭＯＢ_ＨＯ_ＲＳＰメッセージが強制ハンドオーバーメッセージである場合、すなわち、ＭＯＢ_ＨＯ_ＲＳＰメッセージに含まれた‘ＨＯ  Ｔｙｐｅ’フィールドが１に設定された場合に、強制ハンドオーバーは図１１で上述した手順により遂行される。言い換えれば、移動加入者端末機はＭＯＢ_ＨＯ_ＩＮＤメッセージを伝送し（ステップ１３３３）、サービング基地局との接続を解除する（ステップ１３３５）。なお、移動加入者端末機は、サービング基地局から伝送されたターゲット基地局のリストのうちの一つの基地局にハンドオーバーを遂行する。
【０１８９】
一方、ＭＯＢ_ＨＯ_ＲＳＰメッセージが強制ハンドオーバーメッセージでない場合、すなわち、ＭＯＢ_ＨＯ_ＲＳＰメッセージに含まれた‘ＨＯ  Ｔｙｐｅ’フィールドが０に設定された場合に、本発明の第３の実施形態によるサービング基地局のＣＩＮＲを継続して測定することができる。すなわち、サービング基地局のＣＩＮＲが隣接基地局のＣＩＮＲより高い場合に（ステップ１３２５）、ハンドオーバーを取り消すことができる（ステップ１３１５）。そうでない場合には、ハンドオーバーを正常に遂行することができる。その反面、サービング基地局のＣＩＮＲ値が隣接基地局のＣＩＮＲより低い場合に、ターゲット基地局に正常なハンドオーバーを遂行するか否かを判定する（ステップ１３２７）。その結果、ハンドオーバーは拒絶され（ステップ１３２９）、又はハンドオーバーが遂行される（ステップ１３３３，１３３５）。
【０１９０】
上述したように、ハンドオーバーが移動加入者端末機の状況により拒絶される場合に（ステップ１３３１）、移動加入者端末機はサービング基地局に更にＭＯＢ_ＨＯ_ＲＥＱメッセージを伝送する（ステップ１３１２）。すなわち、ハンドオーバーが拒絶される場合は、サービング基地局の送受信状態が悪くて移動加入者端末機が隣接基地局にハンドオーバーしようとしたが、隣接基地局の送受信状態も悪いため、拒絶された場合である。このとき、サービング基地局の送受信状態は継続して良くない可能性があるため、再びＭＯＢ_ＨＯ_ＲＥＱメッセージをサービング基地局に伝送し（ステップ１３１２）、ターゲット基地局を探すことが望ましい。
【０１９１】
しかしながら、ＭＯＢ_ＨＯ_ＲＥＱメッセージに含まれる移動加入者端末機が選択した推薦基地局に対する信頼度が低下することがあるため、もう一度すべての隣接基地局をスキャニングしてより信頼性のある新たな推薦基地局を選択することが望ましい。それによって、図１４では上記の第２の場合について説明する。
【０１９２】
図１４は、本発明の変形された第３の実施形態による広帯域無線接続通信システムで、移動加入者端末機がハンドオーバーの取り消し又は拒絶を遂行する手順を示すフローチャートである。
【０１９３】
図１４を参照すると、図１４の実施形態は上述した差異を除いては上記の図１３の第２の実施形態と同一の手順を有する。すなわち、前記移動加入者端末機がハンドオーバーすることを拒絶する場合に（ステップ１４２９）、移動加入者端末機はハンドオーバー拒絶を示すＭＯＢ_ＨＯ_ＩＮＤメッセージ（すなわち、‘ＨＯ  Ｉｎｄｉｃａｔｏｒ  Ｔｙｐｅ’フィールドの値は１０に設定する）をサービング基地局に  
伝送する（ステップ１４３１）。
【０１９４】
その後、移動加入者端末機は、新たな推薦基地局を選択するために初期のスキャニングを遂行する（ステップ１４００）。すなわち、サービング基地局のＣＩＮＲを更に測定して予め定められたしきい値と比較し（ステップ１４０３）、隣接基地局に対するスキャニングを再び遂行する（ステップ１４０７，１４０９，１４１０）。次に、ステップ１４１１以後のすべての過程は上記の図１３と同一に遂行される。
【０１９５】
以上、本発明の具体的な実施形態に関して詳細に説明したが、本発明の範囲を外れない限り、様々な変形が可能であることは、当該技術分野における通常の知識を持つ者には自明なことであろう。したがって、本発明の範囲は、上述した実施形態に限定されるものではなく、特許請求の範囲及びこの特許請求の範囲と均等なものに基づいて定められるべきである。
【図面の簡単な説明】
【０１９６】
【図１】ＯＦＤＭ/ＯＦＤＭＡ方式を用いる一般的な広帯域移動通信システムの構造を示すブロック構成図である。
【図２】ＯＦＤＭ/ＯＦＤＭＡ方式を用いる広帯域移動通信システムのダウンリンクフレーム構造を概略的に示す図である。
【図３】ＯＦＤＭ/ＯＦＤＭＡ方式を用いる広帯域移動通信システムのアップリンクフレーム構造を概略的に示す図である。
【図４】ＯＦＤＭ/ＯＦＤＭＡ方式を用いる広帯域移動通信システムで加入者端末機と基地局との間のレンジング手順を示す図である。
【図５】多重セルでのＯＦＤＭ/ＯＦＤＭＡ方式を用いる広帯域移動通信システムの構造を示すブロック構成図である。
【図６】ＯＦＤＭ/ＯＦＤＭＡ方式を用いる広帯域移動通信システムで、加入者端末機の要求によるハンドオーバー手順を示す図である。
【図７】ＯＦＤＭ/ＯＦＤＭＡ方式を用いる広帯域移動通信システムで、基地局の要求によるハンドオーバー手順を示す図である。
【図８】本発明の実施形態による広帯域無線接続通信システムで、基地局が強制ハンドオーバーを遂行する手順を示すフローチャートである。
【図９】本発明の実施形態による広帯域無線接続通信システムで、端末機がハンドオーバーの取り消しを遂行する手順を示すフローチャートである。
【図１０】本発明の実施形態による広帯域無線接続通信システムで、端末機がハンドオーバーの拒絶を遂行する手順を示すフローチャートである。
【図１１】本発明の第１の実施形態による広帯域無線接続通信システムで、基地局が強制ハンドオーバーを遂行する手順を示すフローチャートである。
【図１２】本発明の第２の実施形態による広帯域無線接続通信システムで、端末機がハンドオーバーの取り消し又は拒絶を遂行する手順を示すフローチャートである。
【図１３】本発明の第３の実施形態による広帯域無線接続通信システムで、端末機がハンドオーバーの取り消し又は拒絶を遂行する手順を示すフローチャートである。
【図１４】本発明の変形された第３の実施形態による広帯域無線接続通信システムで、端末機がハンドオーバーの取り消し又は拒絶を遂行する手順を示すフローチャートである。
【図１】
2007535205.tif 000021
【図２】
2007535205.tif 000022
【図３】
2007535205.tif 000023
【図４】
2007535205.tif 000024
【図５】
2007535205.tif 000025
【図６】
2007535205.tif 000026
【図７】
2007535205.tif 000027
【図８】
2007535205.tif 000028
【図９】
2007535205.tif 000029
【図１０】
2007535205.tif 000030
【図１１】
2007535205.tif 000031
【図１２】
2007535205.tif 000032
【図１３】
2007535205.tif 000033
【図１４】
2007535205.tif 000034
【手続補正書】
【提出日】平成16年7月4日(2004.7.4)
【手続補正１】
【補正対象書類名】特許請求の範囲
【補正対象項目名】全文
【補正方法】変更
【補正の内容】
【特許請求の範囲】
【請求項１】
移動端末機と、サービングセル領域で前記移動端末機にサービスを提供するサービング基地局と、前記サービング基地局に隣接する少なくとも一つのターゲット基地局とを含む広帯域無線通信システムで、前記移動端末機が前記サービングセル領域にあるときに前記サービング基地局のハンドオーバー方法であって、
前記サービング基地局は前記移動端末機のハンドオーバーの必要性によって前記移動端末機がハンドオーバーすることを決定する段階と、
前記ハンドオーバーのためのターゲット基地局のうちのいずれか一つにハンドオーバーすることを指示する段階と、
前記サービング基地局が前記指示を受けたターゲット基地局にハンドオーバーすることを移動基地局に指示する強制ハンドオーバー情報が含まれたハンドオーバーメッセージを前記移動端末機に伝送する段階と、
を含むことを特徴とするハンドオーバー方法。
【請求項２】
前記強制ハンドオーバー情報は、前記ハンドオーバーメッセージに１ビットで構成された所定のフィールドを形成して示すことを特徴とする請求項１記載のハンドオーバー方法。
【請求項３】
前記所定のフィールドは、提案ハンドオーバー情報を表示する１ビットの他の値を含み、前記提案ハンドオーバー情報を含むときに、前記ハンドオーバーメッセージは、前記移動端末機がハンドオーバー可能なターゲット基地局のリストを含み、前記移動端末機は前記リストから一つのターゲット基地局が選択可能であることを特徴とする請求項２記載のハンドオーバー方法。
【請求項４】
前記基地局は、
前記移動端末機からハンドオーバー指示メッセージを受信する段階と、
前記移動端末機とのリンクを解除する段階と、
をさらに含むことを特徴とする請求項１記載のハンドオーバー方法。
【請求項５】
前記ハンドオーバー指示メッセージは、正常にハンドオーバーすることを表示するハンドオーバー指示タイプフィールドを含むことを特徴とする請求項４記載のハンドオーバー方法。
【請求項６】
前記ターゲット基地局にハンドオーバーすることを指示する段階は、
前記ターゲット基地局にハンドオーバー通知メッセージを伝送する段階と、
前記ターゲット基地局からハンドオーバー通知応答メッセージを受信する段階と、
前記ターゲット基地局の中で、一つのターゲット基地局にハンドオーバー確認メッセージを伝送する段階と、
を含むことを特徴とする請求項１記載のハンドオーバー方法。
【請求項７】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む無線通信システムで、前記移動端末機が前記サービングセル領域にあるときに前記移動端末機がハンドオーバーを遂行する方法であって、
前記サービング基地局からハンドオーバー情報を含むメッセージを受信する段階と、
前記移動端末機が前記メッセージに含まれたハンドオーバー情報を確認し、強制ハンドオーバー指示メッセージである場合に、前記移動端末機と前記サービング基地局とのリンクを解除する段階と、
前記サービング基地局とのリンクを解除した後に、前記メッセージに含まれた一つのハンドオーバー可能ターゲット基地局にハンドオーバーを遂行する段階と、
を含むことを特徴とするハンドオーバー方法。
【請求項８】
前記強制ハンドオーバー情報は、前記ハンドオーバーメッセージに１ビットで構成された所定のフィールドを形成して示すことを特徴とする請求項７記載のハンドオーバー方法。
【請求項９】
前記ハンドオーバー情報が、提案ハンドオーバーメッセージである場合に、前記メッセージに含まれたハンドオーバー可能なターゲット基地局のリストを確認し、最適の基地局を選択してハンドオーバーを遂行する段階を含むことを特徴とする請求項７記載のハンドオーバー方法。
【請求項１０】
移動端末機と、サービングセル領域で前記移動端末機にサービスを提供するサービング基地局と、前記サービング基地局に隣接した少なくとも一つ以上のターゲット基地局とを含む広帯域無線通信システムで、前記移動端末機が前記サービングセル領域にあるときに前記移動端末機のハンドオーバー方法であって、
ハンドオーバーの必要性を検出すると、ハンドオーバー要求メッセージを前記サービング基地局に伝送する段階と、
前記ターゲット基地局のうちのいずれか一つに、ハンドオーバーの遂行時区間で、前記移動端末機がハンドオーバーの取り消しを決定すると、前記サービング基地局にハンドオーバーの取り消し情報を含むハンドオーバー指示メッセージを伝送する段階と、
を含むことを特徴とするハンドオーバー方法。
【請求項１１】
前記サービング基地局から前記ターゲット基地局のキャリア対干渉雑音比（ＣＩＮＲ）スキャニング許可メッセージを受信する段階と、
前記ＣＩＮＲスキャニング許可メッセージに応答して前記ターゲット基地局のＣＩＮＲスキャニングをし、前記ＣＩＮＲスキャニング結果に対応して前記ターゲット基地局のＣＩＮＲ情報を記憶する段階と、
を含むことを特徴とする請求項１０記載のハンドオーバー方法。
【請求項１２】
前記ハンドオーバーの取り消し情報は、前記ハンドオーバー指示メッセージに２ビットで構成された所定のハンドオーバー指示タイプフィールドを形成して示すことを特徴とする請求項１０記載のハンドオーバー方法。
【請求項１３】
前記移動端末機は、前記サービング基地局のキャリア対干渉雑音比（ＣＩＮＲ)が第１のしきい値より低い場合にハンドオーバーの遂行を決定することを特徴とする請求項１０記載のハンドオーバー方法。
【請求項１４】
前記移動端末機は、前記サービング基地局のキャリア対干渉雑音比（ＣＩＮＲ)が前記ターゲット基地局のうち選択された一つの基地局のキャリア対干渉雑音比より低い場合にハンドオーバーの遂行を決定することを特徴とする請求項１０記載のハンドオーバー方法。
【請求項１５】
前記移動端末機は、前記ハンドオーバーの遂行中に、前記サービング基地局のキャリア対干渉雑音比が第２のしきい値より低い場合にハンドオーバーを取り消すことに決定することを特徴とする請求項１０記載のハンドオーバー方法。
【請求項１６】
前記移動端末機は、前記ハンドオーバーの遂行中に、前記サービング基地局のキャリア対干渉雑音比が前記ターゲット基地局の中に選択された一つの基地局のキャリア対干渉雑音比より低い場合にハンドオーバーを取り消すことに決定することを特徴とする請求項１０記載のハンドオーバー方法。
【請求項１７】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局を含む広帯域無線通信システムで、前記サービング基地局のハンドオーバー方法であって、
前記移動端末機からハンドオーバー要求メッセージを受信すると、ターゲット基地局とハンドオーバー進行のためのハンドオーバー手順を進行する段階と、
前記ハンドオーバー手順の進行中に、前記移動端末機からハンドオーバー取り消し情報が含まれたハンドオーバーメッセージを受信すると、進行中であるハンドオーバー手順を取り消す段階と、
前記進行中であるハンドオーバー手順を取り消した後に、サービング基地局の前記移動端末機とのリンクを継続して維持する段階と、
を含むことを特徴とするハンドオーバー方法。
【請求項１８】
前記ハンドオーバー取り消しメッセージは、前記移動端末機がターゲット基地局のリストが含まれたハンドオーバー応答メッセージを受信する前にハンドオーバー手順を中止するために前記移動端末機から伝送されるメッセージであることを特徴とする請求項１７記載のハンドオーバー方法。
【請求項１９】
前記サービング基地局は、前記ターゲット基地局にハンドオーバー進行のためのハンドオーバー確認メッセージを伝送する前に、前記移動端末機からハンドオーバー取り消しメッセージを受信すると、ハンドオーバー手順を終了する段階を含むことを特徴とする請求項１７記載のハンドオーバー方法。
【請求項２０】
前記サービング基地局は、前記移動端末機からハンドオーバー取り消しメッセージを受信すると、前記ターゲット基地局にハンドオーバー進行のためのハンドオーバー確認メッセージを伝送し、以後に前記ターゲット基地局に前記ハンドオーバー取り消しメッセージを伝送する段階をさらに含むことを特徴とする 請求項１７記載のハンドオーバー方法。
【請求項２１】
前記ハンドオーバー取り消しメッセージは、２ビットで構成された所定のハンドオーバー指示タイプフィールドを含むことを特徴とする請求項２０記載のハンドオーバー方法。
【請求項２２】
移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機が前記サービングセル領域にあるとき前記移動端末機のハンドオーバー方法であって、
ハンドオーバーの必要性を検出すると、前記サービング基地局にハンドオーバー要求メッセージを伝送する段階と、
前記サービング基地局から第１のハンドオーバー応答メッセージを受信する段階と、
前記第１のハンドオーバー応答メッセージを受信した後に、前記移動端末機はハンドオーバーの拒絶を決定すると、前記サービング基地局にハンドオーバー拒絶情報を含むハンドオーバー指示メッセージを伝送する段階と、
を含むことを特徴とするハンドオーバー方法。
【請求項２３】
前記ハンドオーバー拒絶情報は、前記ターゲット基地局のリスト再構成を前記サービング基地局に要求するための情報であることを特徴とする請求項２２記載のハンドオーバー方法。
【請求項２４】
前記サービング基地局から前記ターゲット基地局のＣＩＮＲスキャニング許可メッセージを受信する段階と、
前記ＣＩＮＲスキャニング許可メッセージに応答して前記ターゲット基地局のＣＩＮＲスキャニングを遂行し、前記ＣＩＮＲスキャニングの結果に対応して前記ターゲット基地局のＣＩＮＲ情報を記憶する段階と、
を含むことを特徴とする請求項２２記載のハンドオーバー方法。
【請求項２５】
前記第１のハンドオーバー応答メッセージは、前記サービング基地局が前記ターゲット基地局のうち前記移動端末機にサービス可能な少なくとも一つ以上の基地局の情報を含むことを特徴とする請求項２２記載のハンドオーバー方法。
【請求項２６】
前記ハンドオーバーの拒絶情報は、前記ハンドオーバー指示メッセージに所定のハンドオーバー指示タイプフィールドを形成して示すことを特徴とする請求項２２記載のハンドオーバー方法。
【請求項２７】
前記移動端末機は、前記サービング基地局のキャリア対干渉雑音比（ＣＩＮＲ)が第１のしきい値より低い場合にハンドオーバーすることに決定することを特徴とする請求項２２記載のハンドオーバー方法。
【請求項２８】
前記移動端末機は、前記サービング基地局のキャリア対干渉雑音比（ＣＩＮＲ)が前記ターゲット基地局のうち選択された一つの基地局のキャリア対干渉雑音比より低い場合にハンドオーバーすることに決定することを特徴とする請求項２２記載のハンドオーバー方法。
【請求項２９】
前記ハンドオーバー拒絶情報を含むハンドオーバー指示メッセージを伝送した後に、前記移動端末機は前記ハンドオーバー要求メッセージを再伝送する段階を含むことを特徴とする請求項２２記載のハンドオーバー方法。
【請求項３０】
前記ハンドオーバー拒絶情報を含むハンドオーバー指示メッセージを伝送した後に、前記移動端末機は前記ターゲット基地局の前記キャリア対干渉雑音比(ＣＩＮＲ)のスキャニング結果に対応するターゲット基地局のリストを含む第２のハンドオーバー応答メッセージを前記サービング基地局から受信する段階をさらに含むことを特徴とする請求項２２記載のハンドオーバー方法。
【請求項３１】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記移動端末機が前記サービングセル領域にあるときに前記サービング基地局のハンドオーバー方法であって、
前記移動端末機からハンドオーバー要求メッセージを受信すると、ターゲット基地局とハンドオーバーのためのハンドオーバー手順を進行する段階と、
ハンドオーバー手順の進行中に、前記移動端末機からハンドオーバー拒絶情報が含まれたハンドオーバーメッセージを受信すると、進行中であるハンドオーバー手順を中止する段階と、
前記進行中であるハンドオーバー手順を中止した後に、前記サービング基地局から前記移動端末機に新たなターゲット基地局のリストを含むメッセージを伝送する段階と、
を含むことを特徴とするハンドオーバー方法。
【請求項３２】
前記サービング基地局は、前記ターゲット基地局のうち、前記移動端末機にサービス可能な少なくとも一つ以上の基地局の情報をハンドオーバー応答メッセージに含んで伝送する段階を含むことを特徴とする請求項３１記載のハンドオーバー方法。
【請求項３３】
前記ハンドオーバー拒絶メッセージは、前記移動端末機がターゲット基地局のリストが含まれたハンドオーバー応答メッセージを受信した後に、決定されたハンドオーバー手順を中止するために前記サービング基地局に伝送されるメッセージであることを特徴とする請求項３１記載のハンドオーバー方法。
【請求項３４】
前記ハンドオーバー拒絶メッセージは、２ビットで構成された所定のハンドオーバー指示タイプフィールドを形成して示すことを特徴とする請求項３１記載のハンドオーバー方法。
【請求項３５】
前記サービング基地局は、前記移動端末機から拒絶メッセージを受信すると、前記移動端末機とのリンクを維持し、前記ターゲット基地局にハンドオーバーが中止されたことを通報するメッセージを伝送する段階を含むことを特徴とする請求項３１記載のハンドオーバー方法。
【請求項３６】
移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機のハンドオーバー方法であって、
前記サービング基地局からハンドオーバー要求メッセージを受信すると、ハンドオーバー手順を進行する段階と、
前記移動端末機は、前記ターゲット基地局のうちのいずれか一つにハンドオーバーを遂行する時区間でハンドオーバー取り消しが決定されると、前記サービング基地局にハンドオーバー取り消し情報を含むハンドオーバー指示メッセージを伝送する段階と、
を含むことを特徴とするハンドオーバー方法。
【請求項３７】
前記移動端末機は、前記ハンドオーバーの遂行中に前記サービング基地局のキャリア対干渉雑音比が所定のしきい値より高い場合にハンドオーバー取り消しを決定することを特徴とする請求項３６記載のハンドオーバー方法。
【請求項３８】
前記移動端末機は、前記ハンドオーバーの遂行中に前記サービング基地局のキャリア対干渉雑音比が前記ターゲット基地局のうちの選択された一つの基地局のキャリア対干渉雑音比より高い場合にハンドオーバー取り消しを決定することを特徴とする請求項３６記載のハンドオーバー方法。
【請求項３９】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記サービング基地局のハンドオーバー方法であって、
前記移動端末機にハンドオーバー要求メッセージを送信し、ターゲット基地局とハンドオーバー進行のためのハンドオーバー手順を遂行する段階と、
ハンドオーバー手順の進行中に、前記移動端末機からハンドオーバー取り消し情報が含まれたハンドオーバーメッセージを受信すると、進行中であるハンドオーバー手順を取り消す段階と、
前記進行中であるハンドオーバー手順を取り消した後に、前記移動端末機とのリンクを継続して維持する段階と、
を含むことを特徴とするハンドオーバー方法。
【請求項４０】
前記サービング基地局は、前記ターゲット基地局にハンドオーバー進行のためのハンドオーバー確認メッセージを伝送する以前に、ハンドオーバー取り消しメッセージを受信すると、ハンドオーバー手順を終了する段階を含むことを特徴とする請求項３９記載のハンドオーバー方法。
【請求項４１】
前記サービング基地局は、前記ターゲット基地局にハンドオーバー進行のためのハンドオーバー確認メッセージを伝送した後にハンドオーバー取り消しメッセージを受信すると、前記ターゲット基地局にハンドオーバー取り消しメッセージを伝送する段階をさらに含むことを特徴とする請求項３９記載のハンドオーバー方法。
【請求項４２】
移動端末機と、サービングセル領域で前記移動端末機にサービスを提供するサービング基地局と、前記サービング基地局に隣接する少なくとも一つ以上のターゲット基地局とを含む広帯域無線通信システムで、前記移動端末機が前記サービングセル領域にあるときに前記移動端末機のハンドオーバー方法であって、
前記サービング基地局から前記ターゲット基地局のリストを含むハンドオーバー要求メッセージを受信する段階と、
前記移動端末機は、前記ターゲット基地局のリストを確認し、以後前記ハンドオーバーの拒絶を決定すると、前記サービング基地局にハンドオーバー拒絶情報を含むハンドオーバー指示メッセージを伝送する段階と、
を含むことを特徴とするハンドオーバー方法。
【請求項４３】
前記ハンドオーバー拒絶情報は前記ターゲット基地局のリスト再構成を前記サービング基地局に要求するための情報であることを特徴とする請求項４２記載のハンドオーバー方法。
【請求項４４】
前記サービング基地局から前記ターゲット基地局のキャリア対干渉雑音比(ＣＩＮＲ)のスキャニング許可メッセージを受信する段階と、
前記ＣＩＮＲスキャニング許可メッセージに応答して前記ターゲット基地局のＣＩＮＲスキャニングを遂行し、前記ＣＩＮＲスキャニング結果に対応して前記ターゲット基地局のＣＩＮＲ情報を記憶する段階と、
を含むことを特徴とする請求項４２記載のハンドオーバー方法。
【請求項４５】
前記ハンドオーバー要求メッセージは、前記ターゲット基地局の中で前記移動端末機にサービス提供可能なターゲット基地局のリストに関する情報を含むことを特徴とする請求項４２記載のハンドオーバー方法。
【請求項４６】
前記ハンドオーバー拒絶情報を含む前記ハンドオーバー指示メッセージを伝送し、以後前記サービング基地局に前記ハンドオーバー要求メッセージを伝送する段階と、
前記ハンドオーバー要求メッセージの伝送後に、前記サービング基地局から前記ターゲット基地局のキャリア対干渉雑音比のスキャニング結果値に対応するターゲット基地局のアップデートされたリスト情報を含むハンドオーバー応答メッセージを受信する段階と、
を含むことを特徴とする請求項４２記載のハンドオーバー方法。
【請求項４７】
移動端末機と、前記移動端末機にサービスを提供するサービング基地局と、前記サービング基地局により占有されるサービングセル領域と重なる少なくとも一つのターゲットセル領域を有する少なくとも一つのターゲット基地局とを含む広帯域無線通信システムで、前記移動端末機が前記サービングセル領域にあるときに前記サービング基地局のハンドオーバー方法であって、
前記移動端末機に前記ターゲット基地局のリストを含むハンドオーバー要求メッセージを送信し、前記ターゲット基地局とハンドオーバー進行のためのハンドオーバー手順を遂行する段階と、
前記移動端末機からハンドオーバー拒絶情報が含まれたハンドオーバーメッセージを受信すると、前記進行中であるハンドオーバー手順を中止する段階と、
前記移動端末機に前記ターゲット基地局の新たなリストを含むメッセージを伝送する段階と、
を含むことを特徴とするハンドオーバー方法。
【請求項４８】
前記サービング基地局は、前記移動端末機からハンドオーバー拒絶メッセージを受信すると、前記移動端末機とのリンクを維持し、前記ハンドオーバー遂行のためのターゲット基地局にハンドオーバーが中止されることを通報するメッセージを伝送する段階をさらに含むことを特徴とする請求項４７記載のハンドオーバー方法。
【国際調査報告】
2007535205.tif 000035
2007535205.tif 000036